(57)【特許請求の範囲】
【請求項１】
特定の送信ポイントから送信された参照信号と、制御情報とを受信し、参照信号用のリソース群のうち前記制御情報から特定される第１の番号のリソース、及び前記第１の番号から所定数離れた第２の番号のリソースで構成されるリソースにおいて前記特定の送信ポイント以外の送信ポイントから送信された信号、を受信する受信手段と、
前記参照信号、及び、前記信号を用いて、チャネル情報を生成する生成手段と、
生成された前記チャネル情報を送信する送信手段と、
を具備する端末。
【請求項２】
前記リソースは、前記第１の番号のリソース内の一部である第１のリソース、及び、前記第２の番号のリソース内の一部である第２のリソースで構成される、
請求項１記載の端末。
【請求項３】
前記リソース群の各リソースは、同一シンボル内の複数のサブキャリアに、連続する２つのシンボル単位で分散したリソース・エレメントで構成され、
前記第１のリソース及び前記第２のリソースの各々は、互いに異なるサブキャリアかつ互いに異なるシンボルのリソース・エレメントからそれぞれ構成される、
請求項２記載の端末。
【請求項４】
前記リソース群の各リソースは、同一シンボル内の複数のサブキャリアに、連続する２つのシンボル単位で分散したリソース・エレメントで構成され、
前記第１のリソース及び前記第２のリソースの各々は、前記２つのシンボルのうちいずれか一方のシンボル内の互いに異なるサブキャリアに分散したリソース・エレメントでそれぞれ構成される、
請求項２記載の端末。
【請求項５】
前記第１のリソース及び前記第２のリソースのうち、一方は前記２つのシンボルのうち先頭シンボルのリソース・エレメントで構成され、他方は前記２つのシンボルのうち後続シンボルのリソース・エレメントで構成される、
請求項４記載の端末。
【請求項６】
前記第１の番号のリソースと前記第２の番号のリソースとは、互いに隣接しない異なるシンボルのリソース・エレメントからなる、
請求項１記載の端末。
【請求項７】
前記リソースを構成するリソース・エレメントの数は、前記参照信号の送信に用いられるリソースを構成するリソース・エレメントの数と同一である、
請求項１記載の端末。
【請求項８】
前記制御情報は、前記第１の番号を示す情報である、
請求項１記載の端末。
【請求項９】
前記制御情報は、前記リソース群のうち、いずれが前記第１の番号のリソースであるかを示すビットマップ型の情報である、
請求項１記載の端末。
【請求項１０】
前記制御情報は、前記第１の番号及び前記所定数を示す情報であり、前記所定数が変更された場合には変更後の所定数のみを示す情報である、
請求項１記載の端末。
【請求項１１】
前記参照信号の送信周期と前記リソースが設定される周期との最小公倍数は所定値以上である、
請求項１記載の端末。
【請求項１２】
前記リソース群の各リソースは、同一シンボル内の単一のサブキャリアに、連続する２つのシンボル単位のリソース・エレメントで構成され、
前記第１のリソース及び前記第２のリソースのうち、一方は前記２つのシンボルのうち先頭シンボルのリソース・エレメントで構成され、他方は前記２つのシンボルのうち後続シンボルのリソース・エレメントで構成される、
請求項１記載の端末。
【請求項１３】
前記受信手段は、前記特定の送信ポイントから送信された既知信号を受信し、
前記生成手段は、前記参照信号、前記信号、及び、前記既知信号を用いて、チャネル情報を生成する、
請求項１２記載の端末。
【請求項１４】
前記リソース群の各リソースは、同一シンボル内の複数のサブキャリアに、連続する２つのシンボル単位で分散したリソース・エレメントで構成され、
前記第１のリソース及び前記第２のリソースの各々は、互いに異なるリソースブロックにおけるリソース・エレメントでそれぞれ構成される、
請求項１記載の端末。
【請求項１５】
前記第１のリソースは、前記２つのシンボルのうちいずれか一方のシンボルと、前記一方のシンボルと互いに異なるリソースブロックの他方のシンボルとに分散したリソース・エレメントで構成され、
前記第２のリソースは、前記第１のリソースとは異なるシンボルのリソース・エレメントであり、かつ、前記２つのシンボルのうちいずれか一方のシンボルと、前記一方のシンボルと互いに異なるリソースブロックの他方のシンボルとに分散したリソース・エレメントで構成される、
請求項１４記載の端末。
【請求項１６】
前記リソースは、送信周期だけ離れたサブフレーム間において異なるリソース・エレメントで構成される、
請求項１２記載の端末。
【請求項１７】
前記生成手段は、前記参照信号と時間的に近い前記制御情報を用いて、前記チャネル情報を生成する、
請求項１記載の端末。
【請求項１８】
参照信号用のリソース群の中から、第１の番号のリソースを設定する設定手段と、
前記第１の番号を含む制御情報を、端末に送信する送信手段と、
前記端末において、前記制御情報から特定される前記第１の番号のリソース、及び前記第１の番号から所定数離れた第２の番号のリソースで構成されるリソースにおいて特定の送信ポイント以外の送信ポイントから送信された信号と、前記特定の送信ポイントから送信された参照信号とを用いて生成されるチャネル情報を受信する受信手段と、
を具備する基地局。
【請求項１９】
特定の送信ポイントから送信された参照信号と、制御情報を受信し、参照信号用のリソース群のうち前記制御情報から特定される第１の番号のリソース、及び前記第１の番号から所定数離れた第２の番号のリソースで構成されるリソースにおいて前記特定の送信ポイント以外の送信ポイントから送信された信号、を受信し、
前記参照信号、及び、前記信号を用いて、チャネル情報を生成し、
生成された前記チャネル情報を送信する、
送信方法。
【請求項２０】
参照信号用のリソース群の中から、第１の番号のリソースを設定し、
前記第１の番号を含む制御情報を、端末に送信し、
前記端末において、前記制御情報から特定される前記第１の番号のリソース、及び前記第１の番号から所定数離れた第２の番号のリソースで構成されるリソースにおいて特定の送信ポイント以外の送信ポイントから送信された信号と、前記特定の送信ポイントから送信された参照信号とを用いて生成されるチャネル情報を受信する、
受信方法。
【発明の詳細な説明】
【技術分野】
【０００１】
本発明は、端末、基地局、送信方法及び受信方法に関する。
【背景技術】
【０００２】
３ＧＰＰ−ＬＴＥ(3rd Generation Partnership Project Radio Access Network Long Term Evolution、以下、ＬＴＥという)、及び、ＬＴＥをさらに拡張したLTE-Advanced（以下、「ＬＴＥ−Ａ」という）では、下りリンクの通信方式としてＯＦＤＭ（Orthogonal Frequency Division Multiplexing）方式が採用されている。【０００３】
ＯＦＤＭ方式において、複数のサブキャリアを束ねたリソースブロック（ＲＢ：Resource Block）毎に適応変調、周波数スケジューリング等を適用して、周波数利用効率を改善することが検討されている。適応変調は、受信側で観測される伝搬路状況に応じて所定のパケット誤り率を満たす符号化率及び変調方式を決定する技術である。周波数スケジューリングは、複数の端末（ＵＥ（User Equipment）と呼ばれることもある）が基地局（セル、ｅＮＢ、nodeBと呼ばれることもある）からの参照信号を用いて伝搬路状況をＲＢ毎に基地局へ報告し、基地局が伝搬路状況を集めて所定のスケジューリングアルゴリズムに従って適切なＲＢを各端末に割り当てる技術である（図１参照）。【０００４】
適応変調、周波数スケジューリング等に用いられる伝搬路状況の報告値は、チャネル情報（ＣＳＩ：Channel State Information）と呼ばれる。ＣＳＩには、ＣＱＩ（Channel Quality Indicator）が含まれる。例えば、端末は、伝搬路状況（特に受信品質）に対応する指標をＳＩＮＲ（Signal to Interference plus Noise ratio：所望信号に対する干渉及び雑音の電力比）として求め、所定のパケット誤り率を満たす符号化率及び変調方式の組を、予め設定されたテーブル上のインデックス（例えば、ＣＱＩ）として報告する動作例が挙げられる。【０００５】
また、複数基地局協調送信（ＣｏＭＰ：Coordinated multiple transmission point）の運用が検討されている。ＣｏＭＰは、端末（ＵＥ）に向けて複数の基地局（送信ポイント（ＴＰ：Transmission Point））が協調して信号を送信する手法であり、いくつかの方式が検討されている。例えば、３ＧＰＰにおいて検討されているＣｏＭＰの主な方式として、（１）ＣＢ（Coordinated beamforming）方式、及び、（２）ＪＴ（Joint Transmission）方式の２つの方式が挙げられる。【０００６】
ＣＢ方式は、或る端末へのデータを特定のＴＰのみで保有する方式である。すなわち、当該端末にとって、自機向けのデータを保有しないＴＰ（例えば端末が接続するＴＰの隣接ＴＰ）からの信号は干渉と見なされる。ＣＢ方式では、送信パラメータの制御により、このＴＰ間干渉を軽減する方法が採られる。具体的には、送信パラメータとしては、プリコーディング、送信電力、変調方式と符号化率等が挙げられる。これらの送信パラメータを適切に制御することにより、所望ＴＰ（端末向けのデータを保有するＴＰ）からの信号を強めつつ、干渉ＴＰ（端末向けのデータを保有しないＴＰ）からの信号を当該端末に対して弱くすることができる。状況によって、所望ＴＰからの信号を強めることと干渉ＴＰからの信号を弱めることとは互いに矛盾するものとなり得るが、双方のトレードオフを考慮した様々な提案がなされている。【０００７】
一方、ＪＴ方式は、或る端末へのデータを複数のＴＰで共有する方式である。よって、複数のＴＰが該当の端末向けの信号を同時送信することが可能である。このため、端末は、他ＴＰの信号を、干渉信号ではなく所望信号として扱うことができるので、端末で観測されるＳＩＮＲの改善が期待できる。さらに、ネットワーク内部の動作として、複数のＴＰにおけるプリコーディングウェイトの生成方法を工夫することによって、より大きな性能改善が得られる。【０００８】
このようなＣｏＭＰ制御に向けて、ＣｏＭＰ制御の対象となる各ＴＰと端末との間のチャネル情報を観測し、ＴＰ単位のチャネル情報としてネットワークに報告する方法がある。【０００９】
ＣｏＭＰ制御時のＣＳＩ測定・報告に用いられる参照信号として、ＣＳＩ−ＲＳ（Channel State Information Reference Signal：チャネル情報測定用参照信号）がある。図２Ａ〜Ｃは、各送信アンテナポート数のＣＳＩ−ＲＳの構成例を示す。図２Ａ〜Ｃに示すように、ＣＳＩ−ＲＳは、基地局の送信アンテナポート数（８ポート、４ポート又は２ポート）に応じた構成でそれぞれ定義される。図２Ａ〜Ｃでは、１ＲＢが１２サブキャリアで構成され、図２Ａ〜Ｃに示す各ブロックは、各サブキャリア内の、時間領域で連続する２つのＯＦＤＭシンボルのリソース（２ＲＥ（Resource Element））を表す。図２Ａ〜Ｃに示す各ブロック（２ＲＥ）では、２ポート分のＣＳＩ−ＲＳが符号多重される。【００１０】
また、各端末は、ＣＳＩ−ＲＳに関する情報を基地局から予め取得している。具体的には、ＣＳＩ−ＲＳに関する情報としては、アンテナポート数（antennaPortsCount）、サブフレーム内のサブキャリア及びＯＦＤＭシンボル位置を特定するＣＳＩ−ＲＳ構成番号（resourceConfig。以下、「CSI-RS config(i)」又は「#i」と表記する場合もある。図２Ａ〜ＣのCSI-RS config(0)〜(19)）、送信周期とオフセットとで構成される送信サブフレーム（subframeConfig）、及び、参照信号とデータ信号との電力比（p-C）等が挙げられる（非特許文献１および２参照）。【００１１】
図２Ａ〜Ｃでは、時間方向の順に、かつ、同一時間では周波数方向の順に、ＣＳＩ−ＲＳ構成番号が付与されている。また、図２Ａ〜Ｃに示すように、各アンテナポート数に対応するＣＳＩ−ＲＳ構成間で、各ＣＳＩ−ＲＳ構成番号のリソースの開始位置（番号付与の順序における開始位置）には同一番号が付与されている。また、図２Ａ〜Ｃに示すように、アンテナポート数が少ない場合のＣＳＩ−ＲＳ構成は、アンテナポート数が多い場合のＣＳＩ−ＲＳ構成のサブセットを構成している（Nested structureと呼ばれることもある）。これにより、各アンテナポート数に対応するＣＳＩ−ＲＳ構成において重複した番号付けを用いつつ、アンテナポート数毎の各リソースの特定を必要最小限の番号にて網羅できる。例えば、図２Ｃに示す２ポートのCSI-RS config(0)は、図２Ａに示す８ポートのCSI-RS config(0)（８ＲＥ）のうち、開始位置から２ポート分のリソース（２ＲＥ）のみと特定することができる。【００１２】
なお、ＣｏＭＰ制御に向けて制御対象の各ＴＰ（以下では、「協調しているＴＰ」と標記する。又はCoMP measurement setとも呼ばれる。）と端末との間のチャネル情報を観測するために、基地局が各ＴＰのＣＳＩ−ＲＳに関する情報を端末に予め通知する手順を採る。【００１３】
また、協調しているＴＰ（CoMP measurement set）において、端末が周辺のＴＰから送信される参照信号（ＣＳＩ−ＲＳ）を観測するために、当該端末が接続しているＴＰのデータを無送信信号とするミューティングの手法がある。具体的には、前述のＣＳＩ−ＲＳ構成番号のうち、４ポートに対応したＣＳＩ−ＲＳ構成番号であるCSI-RS config(0)〜(9)（図２Ｂ参照）のそれぞれをビットマップ（bitmap）表記とし、どのリソースを無送信信号リソースとするかが基地局から端末へ通知される。どのリソースを無送信信号リソースとするかを表すビットマップ型の情報は、無送信ＣＳＩ−ＲＳ構成番号リスト(zeroTxPowerResourceConfigList)と呼ばれる（非特許文献２参照）。【００１４】
例えば、CSI-RS config(0)〜(9)のうち、CSI-RS config(1)及び(2)のリソースを無送信信号リソースとする場合、無送信ＣＳＩ−ＲＳ構成番号リストは、｛0,1,1,0,0,0,0,0,0,0｝となる。ここでは、無送信ＣＳＩ−ＲＳ構成番号リストの先頭ビットから順に、CSI-RS config(0)〜(9)にそれぞれ対応し、「１」が無送信信号リソースを表し、「０」が無送信信号リソース以外のリソースを表す。【００１５】
また、無送信信号リソースが設定されるサブフレームとして、上述したＣＳＩ−ＲＳと同様に、送信周期とオフセットとで構成される送信サブフレーム（zeroTxPowerSubframeConfig）も併せて基地局から端末へ通知される。これにより、端末は、どのサブフレームのどのリソースが無送信信号リソースとなるかを特定することができる。【００１６】
図３は、或る端末が接続しているＴＰに設定されたzeroTxPowerSubframeConfigに対応するサブフレーム内の無送信信号リソースの位置（CSI-RS config(1)及び(2)）を示す。この場合、当該ＴＰの周辺に位置するＴＰのＣＳＩ−ＲＳ構成を、無送信信号リソース（図３ではCSI-RS config(1)又は(2)）のいずれかと対応させることにより、端末は、周辺ＴＰのＣＳＩ−ＲＳを所望信号として観測する際に、当該端末が接続しているＴＰからのデータから干渉を受けることがなくなり、ＣＳＩ測定精度を確保できる。
【先行技術文献】
【非特許文献】
【００１７】
【非特許文献１】3GPP TS 36.211 v10.4.0, Section 6.10.5, "3GPP TSG RAN E-UTRA Physical Channels and Modulation (Release 10)"
【非特許文献２】3GPP TS 36.331 v10.4.0, Section 6.3.2, "3GPP TSG RAN E-UTRA Radio Resource Control (RRC); Protocol specification (Release 10)"
【発明の概要】
【発明が解決しようとする課題】
【００１８】
上述したＣＳＩ（例えばＣＱＩ）としてＳＩＮＲを測定する際、参照信号を用いて所望信号成分が求められるのに加え、所定のリソース（以下、干渉推定（interference mesurement）用リソースと呼ぶ）を用いて干渉成分（雑音成分）が求められることが検討されている。端末は、この干渉推定用リソースで受信する信号成分、つまり、所望信号を送信するＴＰ以外のＴＰから端末に届く信号成分を、干渉成分として測定することが可能となる。よって、ＣｏＭＰ制御の対象となる各ＴＰと端末とのチャネル情報（ＣＳＩ）を高精度で測定するためには、各ＴＰに対して、ＣＳＩ−ＲＳを用いて所望信号成分を精度良く推定するのに加え、干渉推定用リソースを用いて各ＴＰに対して精度良く干渉成分を推定することも求められている。【００１９】
本発明の目的は、ＣｏＭＰ制御の対象となる各ＴＰと端末とのチャネル情報を精度良く測定することができる端末、基地局、送信方法及び受信方法を提供することを目的とする。
【課題を解決するための手段】
【００２０】
本発明の一態様の端末は、特定の送信ポイントから送信された参照信号と、制御情報とを受信し、参照信号用のリソース群のうち前記制御情報から特定される第１の番号のリソース、及び前記第１の番号から所定数離れた第２の番号のリソースで構成されるリソースにおいて前記特定の送信ポイント以外の送信ポイントから送信された信号、を受信する受信手段と、前記参照信号、及び、前記信号を用いて、チャネル情報を生成する生成手段と、生成された前記チャネル情報を送信する送信手段と、を具備する構成を採る。【００２１】
本発明の一態様の基地局は、参照信号用のリソース群の中から、第１の番号のリソースを設定する設定手段と、前記第１の番号を含む制御情報を、端末に送信する送信手段と、前記端末において、前記制御情報から特定される前記第１の番号のリソース、及び前記第１の番号から所定数離れた第２の番号のリソースで構成されるリソースにおいて特定の送信ポイント以外の送信ポイントから送信された信号と、前記特定の送信ポイントから送信された参照信号とを用いて生成されるチャネル情報を受信する受信手段と、を具備する構成を採る。【００２２】
本発明の一態様の送信方法は、特定の送信ポイントから送信された参照信号と、制御情報を受信し、参照信号用のリソース群のうち前記制御情報から特定される第１の番号のリソース、及び前記第１の番号から所定数離れた第２の番号のリソースで構成されるリソースにおいて前記特定の送信ポイント以外の送信ポイントから送信された信号、を受信し、前記参照信号、及び、前記信号を用いて、チャネル情報を生成し、生成された前記チャネル情報を送信する。【００２３】
本発明の一態様の受信方法は、参照信号用のリソース群の中から、第１の番号のリソースを設定し、前記第１の番号を含む制御情報を、端末に送信し、前記端末において、前記制御情報から特定される前記第１の番号のリソース、及び前記第１の番号から所定数離れた第２の番号のリソースで構成されるリソースにおいて特定の送信ポイント以外の送信ポイントから送信された信号と、前記特定の送信ポイントから送信された参照信号とを用いて生成されるチャネル情報を受信する。
【発明の効果】
【００２４】
本発明によれば、ＣｏＭＰ制御の対象となる各ＴＰと端末とのチャネル情報を精度良く測定することができる。
【図面の簡単な説明】
【００２５】
【図１】ＣＳＩ報告に基づく適応変調及び周波数スケジューリングを示す図
【図２】ＣＳＩ−ＲＳ構成を示す図
【図３】無送信信号リソースの設定例を示す図
【図４】本発明の実施の形態１に係る基地局の主要構成を示すブロック図
【図５】本発明の実施の形態１に係る端末の主要構成を示すブロック図
【図６】本発明の実施の形態１に係る基地局の構成を示すブロック図
【図７】本発明の実施の形態１に係る端末の構成を示すブロック図
【図８】本発明の実施の形態２に係る協調していないＴＰとの衝突の説明に供する図
【図９】本発明の実施の形態２に係る干渉推定用リソースの設定例を示す図
【図１０】本発明の実施の形態２に係る干渉推定用リソースのその他の設定例を示す図
【図１１】本発明の実施の形態３に係る干渉推定用リソースの設定例を示す図
【図１２】本発明の実施の形態４に係る基地局及び端末の処理を示すシーケンス図
【図１３】本発明の実施の形態５に係るＣＳＩ−ＲＳの送信周期と干渉推定用リソースの送信周期との関係を示す図
【図１４】本発明の実施の形態６に係る協調していないＴＰとの衝突の説明に供する図
【図１５】本発明の実施の形態６に係る干渉推定用リソースの設定例を示す図
【図１６】本発明の実施の形態７に係る干渉推定用リソースの設定例を示す図
【図１７】本発明の実施の形態７に係る干渉推定用リソースのその他の設定例を示す図
【図１８】本発明の実施の形態７に係るＣＳＩ−ＲＳ構成番号を時間方向に切り替えて用いる例を示す図
【図１９】本発明の実施の形態７に係る干渉推定用リソースの設定を時間方向に切り替えて用いる例を示す図
【図２０】本発明の実施の形態８に係る所望信号算出用のＣＳＩ−ＲＳと時間的に近いＣＳＩ−ＲＳ構成番号のみを用いる例を示す図
【発明を実施するための形態】
【００２６】
以下、本発明の実施の形態について図面を参照して詳細に説明する。なお、実施の形態において、同一の構成要素には同一の符号を付し、その説明は重複するので省略する。
【００２７】
［実施の形態１］
［通信システムの概要］
本発明の実施の形態１に係る通信システムは、基地局１００と端末２００とを有する。基地局１００は、ＬＴＥ−Ａ基地局であり、端末２００は、ＬＴＥ−Ａ端末である。
【００２８】
図４は、本発明の実施の形態１に係る基地局１００の主要構成図である。基地局１００において、設定部１０１が、参照信号用のリソース群（ＣＳＩ−ＲＳ構成）の中から、リソース（干渉推定用のリソース）を設定し、送信処理部１０４が、上記リソースを含む制御情報を端末２００に送信し、受信処理部１０８が、端末２００において、制御情報から特定されるリソースにおいて特定のＴＰ以外のＴＰから送信された信号と、上記特定のＴＰから送信された参照信号（ＣＳＩ−ＲＳ）とを用いて生成されるチャネル情報（ＣＳＩ）を受信する。
【００２９】
図５は、本発明の実施の形態１に係る端末２００の主要構成図である。端末２００において、受信処理部２０３が、特定のＴＰから送信された参照信号（ＣＳＩ−ＲＳ）と、制御情報を受信し、参照信号用のリソース群（ＣＳＩ−ＲＳ構成）のうち制御情報から特定されるリソースにおいて上記特定のＴＰ以外のＴＰから送信された信号を受信し、ＣＳＩ生成部２０６が、参照信号、及び、上記信号を用いて、チャネル情報（ＣＳＩ）を生成し、送信信号形成部２０８が、生成されたチャネル情報を送信する。
【００３０】
本実施の形態では、干渉推定用リソースとして、他のＴＰからのＣＳＩ−ＲＳを測定するための無送信信号リソースがそのまま用いられる。
【００３１】
また、以下では、上りリンクと下りリンクとが周波数分割されるＦＤＤ（Frequency Division Duplex）システムを前提として説明する。しかし、これに限らず、上りリンクと下りリンクとが時間分割されるＴＤＤ（Time Division Duplex）システムにおいて、端末２００が基地局１００にチャネル情報を報告する構成でもよい。
【００３２】
また、以下では、一例として、単一の基地局１００によって、２つのＴＰを形成する構成について説明する。しかし、これに限らず、複数の基地局１００により各ＴＰをそれぞれ形成し、適切に信号を共有することにより両者を連携して動作させる構成でもよい。
【００３３】
［基地局１００の構成］
図６は、本発明の実施の形態１に係る基地局１００の構成を示すブロック図である。図６において、基地局１００は、設定部１０１と、符号化・変調部１０２、１０３と、送信処理部１０４と、送信部１０５−１、１０５−２と、アンテナ１０６−１、１０６−２と、受信部１０７−１、１０７−２と、受信処理部１０８と、データ受信部１０９と、ＣＳＩ受信部１１０とを有する。
【００３４】
設定部１０１は、ＣＳＩ報告対象端末２００に対して、そのＣＳＩ報告対象端末２００の接続先候補となり得る複数の送信ポイント（ＴＰ）を示す、制御情報としての「ＴＰ情報」を生成する。ＴＰ情報には、接続先候補となる送信ポイント（つまり、協調しているＴＰ）に関する情報として、各ＴＰのＣＳＩ−ＲＳのパラメータと、各ＴＰの無送信信号リソースのパラメータが含まれる。ＣＳＩ−ＲＳのパラメータとしては、アンテナポート数、サブフレーム内のサブキャリア及びＯＦＤＭシンボルの位置（リソースの位置）を特定するＣＳＩ−ＲＳ構成番号（例えば図２参照）、送信周期とオフセットとで構成されるサブフレーム、参照信号とデータ信号との電力比等が挙げられる。また、無送信信号リソースのパラメータとしては、送信周期とオフセットとで構成されるサブフレーム、ＣＳＩ−ＲＳ構成番号のビットマップ表記による無送信信号ＣＳＩ−ＲＳ構成番号リスト等が挙げられる。すなわち、設定部１０１は、各ＴＰからの信号を用いてチャネル情報（ＣＳＩ）を測定するのに必要なパラメータを、ＣＳＩ報告対象端末２００に対して設定する。
【００３５】
以上のように設定部１０１によって生成されたＴＰ情報は、設定情報として、符号化・変調部１０２、送信処理部１０４、及び送信部１０５において送信処理がなされた後に、ＣＳＩ報告対象端末２００へ送信される。また、設定部１０１は、ＴＰ情報を符号化・変調部１０２を介してＣＳＩ報告対象端末２００へ送信すると共に、受信処理部１０８へ出力する。
【００３６】
また、設定部１０１は、端末２００に対して、下りリンクのチャネル情報の報告（以降、下りＣＳＩ報告と記載。又は下りCSI feedbackと呼ぶこともある）を各ＴＰに対して実施するように通知する。この通知（つまり下りＣＳＩの報告要求）は、例えば上位レイヤ情報として通知される。この下りＣＳＩ報告は、周期的なタイミング、又は、トリガ情報に基づいた任意のタイミングで（非周期的に）実施することもできる。なお、トリガ情報は例えば下り制御チャネル（ＰＤＣＣＨ（Physical Downlink Control Channel））に含まれる。また、周期的なタイミングで実施されるＣＳＩ報告は、ＣＳＩ報告対象端末に別途設定した上り制御チャネル（ＰＵＣＣＨ（Physical Uplink Control Channel））に含まれる。さらに、設定部１０１は、端末２００に対し、ＰＵＣＣＨと上りデータチャネルＰＵＳＣＨ（Physical Uplink Shared Channel）の同時送信に対応した動作を実施するか否かを通知する。
【００３７】
また、設定部１０１は、リソース（ＲＢ）割当情報、及び、１つ又は複数のトランスポートブロック（ＴＢ）に対するＭＣＳ（Modulation and Coding Scheme）情報を含む、割当制御情報を生成する。割当制御情報には、上りリンクデータを割り当てる上りリソース（例えば、ＰＵＳＣＨ）に関する割当制御情報、下りリンクデータを割り当てる下りリソース（例えば、ＰＤＳＣＨ（Physical Downlink Shared Channel））に関する割当制御情報がある。割当制御情報は、送信処理部１０４及び受信処理部１０８に出力されるとともに、ＰＤＣＣＨによって、基地局１００から端末２００へ通知される。
【００３８】
符号化・変調部１０２は、設定部１０１から受け取る、設定情報（ＴＰ情報を含む）、トリガ情報及び割当制御情報を符号化及び変調し、得られた変調信号を送信処理部１０４へ出力する。
【００３９】
符号化・変調部１０３は、入力されるデータ信号（送信データ）を符号化及び変調し、得られた変調信号を送信処理部１０４へ出力する。
【００４０】
送信処理部１０４は、符号化・変調部１０２及び符号化・変調部１０３から受け取る変調信号を、設定部１０１から受け取る下りリソース割当情報の示すリソースにマッピングすることにより、送信信号を形成する。ここで、送信信号がＯＦＤＭ信号である場合には、変調信号を、設定部１０１から受け取る下りリソース割当情報の示すリソースにマッピングし、逆高速フーリエ変換（ＩＦＦＴ）処理を施して時間波形に変換し、ＣＰ（Cyclic Prefix）を付加することにより、ＯＦＤＭ信号が形成される。
【００４１】
送信部１０５−１又は１０５−２は、送信処理部１０４から受け取る送信信号に対して送信無線処理（アップコンバート、ディジタルアナログ（Ｄ／Ａ）変換など）を施し、アンテナ１０６−１又は１０６−２を介して送信する。
【００４２】
受信部１０７−１及び１０７−２は、アンテナ１０６−１又は１０６−２を介して受信した無線信号に対して受信無線処理（ダウンコンバート、アナログディジタル（Ａ／Ｄ）変換など）を施し、得られた受信信号を受信処理部１０８へ出力する。
【００４３】
なお、複数設けた送受信部及びアンテナについて、例えば、送信部１０５−１、受信部１０７−１及びアンテナ１０６−１をＴＰ＃１の形成に用い、送信部１０５−２、受信部１０７−２及びアンテナ１０６−２をＴＰ＃２の形成に用いるといった運用も可能である。
【００４４】
受信処理部１０８は、設定部１０１から受け取る上りリソース割当情報に基づいて上りデータ信号及びＡＣＫ／ＮＡＣＫ情報がマッピングされているリソースを特定し、受信信号から、特定されたリソースにマッピングされている信号成分を抽出する。
【００４５】
また、受信処理部１０８は、設定部１０１から受け取るＴＰ情報を含む設定情報、及び、トリガ情報に基づいて、ＣＳＩ報告がマッピングされているリソースを特定し、受信信号から、特定されたリソースにマッピングされている信号成分を抽出する。具体的には、受信処理部１０８は、周期的なＣＳＩ報告に対しては規定のサブフレームにおいて上りリンクデータの割り当てがない場合、あるいは上りリンクデータの割り当てがあってもＰＵＣＣＨとＰＵＳＣＨの同時送信に対応した動作の場合には、上記ＰＵＣＣＨのリソースをＣＳＩ報告リソースと特定する。また、受信処理部１０８は、上りリンクデータの割り当てがあり、ＰＵＣＣＨとＰＵＳＣＨの同時送信に対応していない動作の場合には、上記ＰＵＳＣＨのリソースをＣＳＩ報告リソースと特定する。そして、受信処理部１０８は、特定されたリソースでＣＳＩ報告を受信する。一方、受信処理部１０８は、非周期的なＣＳＩ報告に対してはトリガ情報が送信されたサブフレームから４サブフレーム後のサブフレームにおいて、上記特定されたリソースでＣＳＩ報告を受信する。
【００４６】
ここで、受信信号が空間多重された（つまり、複数のコードワード（ＣＷ）によって送信された）信号である場合には、受信処理部１０８は、受信信号をＣＷ毎に分離する。また、受信信号がＯＦＤＭ信号である場合には、受信処理部１０８は、抽出された信号成分に対してＩＤＦＴ（Inverse Discrete Fourier Transform）処理を施すことにより、時間領域信号に変換する。
【００４７】
こうして受信処理部１０８によって抽出された上りデータ信号（受信データ）及びＡＣＫ／ＮＡＣＫ情報は、データ受信部１０９へ出力され、ＣＳＩは、ＣＳＩ受信部１１０へ出力される。
【００４８】
データ受信部１０９は、受信処理部１０８から受け取る信号を復号する。これにより、上りリンクデータ及びＡＣＫ／ＮＡＣＫ情報が得られる。
【００４９】
ＣＳＩ受信部１１０は、受信処理部１０８から受け取る信号を復調する。これにより、ＣＳＩが得られる。基地局１００は、受信した各送信ポイントのＣＳＩに基づいて、スケジューリング、リンクアダプテーション及びＣｏＭＰ制御等を実施する。
【００５０】
［端末２００の構成］
図７は、本発明の実施の形態１に係る端末２００の構成を示すブロック図である。ここでは、端末２００は、ＬＴＥ−Ａ端末である。
【００５１】
図７において、端末２００は、アンテナ２０１と、受信部２０２と、受信処理部２０３と、リファレンス信号生成部２０４と、データ信号生成部２０５と、ＣＳＩ生成部２０６と、送信制御部２０７と、送信信号形成部２０８と、送信部２０９とを有する。
【００５２】
受信部２０２は、アンテナ２０１を介して受信した無線信号に対して受信無線処理（ダウンコンバート、アナログディジタル（Ａ／Ｄ）変換など）を施し、得られた受信信号を受信処理部２０３へ出力する。
【００５３】
受信処理部２０３は、受信信号に含まれる設定情報（ＴＰ情報）、割当制御情報、トリガ情報、及びデータ信号を抽出する。受信処理部２０３は、割当制御情報を送信制御部２０７へ出力し、設定情報及びトリガ情報をＣＳＩ生成部２０６へ出力する。また、受信処理部２０３は、抽出されたデータ信号に対しては誤り検出処理を行い、誤り検出結果に応じたＡＣＫ／ＮＡＣＫ情報をデータ信号生成部２０５へ出力する。
【００５４】
また、受信処理部２０３は、設定情報内のＴＰ情報に示される各ＴＰのＣＳＩ−ＲＳのパラメータに基づいて、受信信号から参照信号（例えば、ＣＳＩ−ＲＳ）を抽出し、参照信号（受信値）をＣＳＩ生成部２０６に出力する。さらに、受信処理部２０３は、ＴＰ情報に示される無送信信号リソースのパラメータに基づいて、各ＴＰの無送信信号に設定されたリソースの信号成分を抽出し、抽出した信号成分をＣＳＩ生成部２０６に出力する。ＣＳＩ生成部２０６では、各ＴＰからのＣＳＩ−ＲＳは所望信号として用いられ、干渉推定用リソースで受信した信号成分は干渉及び雑音として用いられる。つまり、端末２００は、無送信信号リソースのパラメータを、干渉推定用リソースのパラメータとして利用する。
【００５５】
リファレンス信号生成部２０４は、送信制御部２０７から生成指示を受け取ると、リファレンス信号（例えば、ＳＲＳ：Sounding Reference Signal）を生成し、送信信号形成部２０８へ出力する。
【００５６】
データ信号生成部２０５は、ＡＣＫ／ＮＡＣＫ情報及び送信データを入力とし、送信制御部２０７から受け取るＭＣＳ情報に基づいてＡＣＫ／ＮＡＣＫ情報及び送信データを符号化及び変調することにより、データ信号を生成する。Non-MIMO送信の場合には、１つのコードワード（ＣＷ）でデータ信号が生成され、MIMO送信の場合には、２つのコードワードでデータ信号が生成される。なお、受信信号がＯＦＤＭ信号の場合には、データ信号生成部２０５は、ＣＰ除去処理、ＦＦＴ処理も行う。
【００５７】
ＣＳＩ生成部２０６は、ＴＰ情報、及び、トリガ情報に基づいて、ＣＳＩ（チャネル情報）を生成する。具体的には、ＣＳＩ生成部２０６は、各ＴＰからのＣＳＩ−ＲＳ（所望信号）、及び、上記干渉推定用リソースで受信した信号成分（干渉及び雑音）を用いて、ＣＳＩ（例えばＳＩＮＲ）を生成する。また、ＣＳＩ生成部２０６は、周期的なＣＳＩ報告が設定された場合、ＴＰ情報に含まれる全てのＴＰのＣＳＩ報告のタイミングでは、ＴＰ情報に含まれる全てのＴＰからのＣＳＩ−ＲＳを用いたＣＳＩ測定により、ＣＳＩを生成する。一方、ＣＳＩ生成部２０６は、非周期的なＣＳＩ報告が設定された場合、ＴＰ情報に含まれる全てのＴＰのＣＳＩ報告に対応するトリガ情報を受信すると、ＴＰ情報に含まれる全てのＴＰからのＣＳＩ−ＲＳを用いたＣＳＩ測定により、ＣＳＩを生成する。
【００５８】
送信制御部２０７は、受信処理部２０３から受け取る割当制御情報に基づいて、データ信号をマッピングする「データマッピングリソース」を特定し、データマッピングリソースに関する情報（以下、「データマッピングリソース情報」と呼ばれることがある）を送信信号形成部２０８へ出力すると共に、割当制御情報に含まれるＭＣＳ情報をデータ信号生成部２０５へ出力する。
【００５９】
送信信号形成部２０８は、リファレンス信号生成部２０４から受け取るリファレンス信号をリファレンス信号用のマッピングリソースにマッピングする。また、送信信号形成部２０８は、データ信号生成部２０５から受け取るデータ信号をデータマッピングリソース情報の示すデータマッピングリソースにマッピングする。また、送信信号形成部２０８は、ＣＳＩ生成部２０６から受け取るＣＳＩ報告を、ＣＳＩ報告用のマッピングリソースにマッピングする。こうして送信信号が形成される。なお、Non-MIMO送信の場合には、１コードワードのデータ信号が１レイヤに割り当てられ、MIMO送信の場合には、２コードワードのデータ信号が複数のレイヤに割り当てられる。また、送信信号がＯＦＤＭ信号の場合には、送信信号形成部２０８は、データ信号をＤＦＴ（Discrete Fourier Transform）処理した後に、データマッピングリソースにマッピングする。また、形成された送信信号に対してＣＰが付加される。
【００６０】
送信部２０９は、送信信号形成部２０８で形成された送信信号に対して送信無線処理（アップコンバート、ディジタルアナログ（Ｄ／Ａ）変換など）を施してアンテナ２０１を介して送信する。
【００６１】
［基地局１００及び端末２００の動作］
以上の構成を有する基地局１００及び端末２００の動作について説明する。
【００６２】
基地局１００において、設定部１０１は、例えば、設定対象端末２００に対して、図３に対応する無送信信号リソースのパラメータを設定する。上述したように、無送信信号リソースは、４ポートに対応したＣＳＩ−ＲＳ構成番号であるCSI-RS config(0)〜(9)の中から選択される。すなわち、図３では、設定部１０１は、端末２００に対して、無送信信号リソースとして、CSI-RS config(1)及びCSI-RS config(2)を設定する。次いで、設定部１０１は、無送信信号リソースがCSI-RS config(1)及びCSI-RS config(2)であることを示す無送信ＣＳＩ−ＲＳ構成番号リスト（zeroTxPowerResourceConfigList）を生成する。無送信ＣＳＩ−ＲＳ構成番号リストは、CSI-RS config(0)〜(9)の１０個のリソースにそれぞれ対応するビットマップ表記の情報である。つまり、図３では、無送信ＣＳＩ−ＲＳ構成番号リストは、｛0,1,1,0,0,0,0,0,0,0｝で表される。ここで、無送信ＣＳＩ−ＲＳ構成番号リストの先頭ビットから順に、CSI-RS config(0)〜(9)にそれぞれ対応し、「１」が無送信信号リソースを表し、「０」が無送信信号リソース以外のリソースを表す。
【００６３】
基地局１００は、設定部１０１で設定された無送信ＣＳＩ−ＲＳ構成番号リストを含む設定情報を、設定対象端末２００へ通知する。
【００６４】
端末２００において、受信処理部２０３は、基地局１００から通知されたＴＰ情報に含まれるＣＳＩ−ＲＳのパラメータに基づいて、端末２００が接続しているＴＰからのＣＳＩ−ＲＳのリソースを特定し、当該ＴＰからのＣＳＩ−ＲＳを抽出する。また、受信処理部２０３は、ＴＰ情報に含まれる無送信ＣＳＩ−ＲＳ構成番号リストに示されるリソース（図３ではCSI-RS config(1)及びCSI-RS config(2)）において信号成分を抽出する。
【００６５】
図３において、端末２００が接続しているＴＰに設定された無送信信号リソース（CSI-RS config(1)及びCSI-RS config(2)）では、端末２００が接続しているＴＰは信号を送信しない。よって、受信処理部２０３が無送信信号リソースで抽出する信号成分は、端末２００が接続しているＴＰ以外の周辺のＴＰからの信号成分である。つまり、受信処理部２０３が無送信信号リソースで抽出する信号成分は、端末２００が接続しているＴＰに対する干渉成分（雑音成分）である。
【００６６】
ＣＳＩ生成部２０６は、端末２００が接続しているＴＰについて、当該ＴＰからのＣＳＩ−ＲＳを所望信号とし、無送信信号リソースで抽出した信号成分を干渉成分（雑音成分）として、当該ＴＰに対するＣＳＩを測定する。
【００６７】
このように、端末２００は、本来、接続しているＴＰ以外の周辺のＴＰから送信されるＣＳＩ−ＲＳに対して、接続しているＴＰが干渉を与えないために設定された無送信信号リソースを、接続しているＴＰに対する干渉推定用リソースとしてそのまま用いる。これにより、端末２００では、協調しているＴＰ（CoMP measurement set）の中で所望信号成分（ＣＳＩ−ＲＳ）と干渉・雑音信号成分とを区別して精度良く推定することができる。
【００６８】
よって、本実施の形態によれば、端末２００は、ＣｏＭＰ制御の対象となる各ＴＰと端末とのＣＳＩを高精度で測定でき、基地局１００は、端末２００から報告されるＣＳＩを用いて、適応変調及び周波数スケジューリング等を適切に実施することができる。
【００６９】
［実施の形態２］
実施の形態１では、ＴＰの無送信信号リソースを示すパラメータ（無送信ＣＳＩ−ＲＳ構成番号リスト）を、当該ＴＰの干渉推定用リソースとしてそのまま用いる場合について説明した。
【００７０】
しかし、端末は、自機が接続しているＴＰと協調していないＴＰのＣＳＩ−ＲＳに関する情報を取得していない。そのため、端末は、通知される無送信信号リソース（干渉推定用リソース）において、協調していないＴＰがＣＳＩ−ＲＳを送信しているか否かを特定できない。すなわち、端末は、自機が接続しているＴＰに設定された無送信信号用リソースと、協調していないＴＰに設定されたＣＳＩ−ＲＳのリソースとが重複（衝突）しているか否かを判断できない。
【００７１】
ここで、干渉推定では、端末は、着目するＴＰ（ＣＳＩ測定対象）以外の他のＴＰから届く信号成分を観測し、観測した信号成分を、着目するＴＰから送信されるデータに対する干渉量として推定することを目的としている。つまり、端末では他のＴＰのデータ領域で推定される干渉量を得ることが望ましい。また、参照信号（ＣＳＩ−ＲＳ）は、例えば、該当ＴＰから送信されるデータ量によらず全帯域に渡って、さらにデータ送信に用いられるプリコーディングを適用することなく、ＴＰの各アンテナポートから送信されることが考えられる。よって、協調していないＴＰが参照信号を送信する場合とデータ信号を送信する場合とでは、端末で推定される干渉量の推定結果は異なる可能性がある。具体的には、協調していないＴＰが参照信号を送信する場合には、協調していないＴＰがデータ信号を送信する場合と比較して、端末で干渉量が過剰に推定される可能性がある。
【００７２】
このため、協調していないＴＰからＣＳＩ−ＲＳが送信されていないサブフレームでは、端末は、協調しているＴＰに対する干渉成分（各ＴＰのデータ領域の信号成分）を適切に推定することができる。これに対して、協調していないＴＰからＣＳＩ−ＲＳが送信されているサブフレームでは、端末は、協調しているＴＰに対して、過剰な干渉成分を推定する可能性がある。つまり、端末が接続しているＴＰと協調しているＴＰのみでなく、協調していないＴＰをも考慮すると、端末で推定される干渉成分の推定結果にばらつきが生じてしまうおそれがある。
【００７３】
例えば、図８に示すように、ＴＰ＃１及びＴＰ＃２が協調しているCoMP measurement set内に端末が位置し、ＴＰ＃３がＴＰ＃１，＃２と協調していない場合について説明する。図８では、ＣＳＩ−ＲＳのリソースとして、ＴＰ＃１に対してCSI-RS config(2)が設定され、ＴＰ＃２に対してCSI-RS config(3)が設定され、ＴＰ＃３に対してCSI-RS config(4)が設定されている。また、ＣＳＩ測定対象のＴＰ（例えばＴＰ＃１とする）に対する干渉推定用リソースとしてCSI-RS config(4)が設定されている。この場合、端末に対しては、協調しているＴＰ＃１及び＃２のＣＳＩ−ＲＳのリソースとしてCSI-RS config(2)及びCSI-RS config(3)が通知され、かつ、干渉推定用リソースとしてCSI-RS config(4)が通知される。
【００７４】
図８の場合、干渉推定用リソースが設定されたサブフレームでは、ＴＰ＃１及び＃２（協調しているＴＰ）のうち、ＴＰ＃１（ＣＳＩ測定対象）はCSI-RS config(4)に対応するリソースで信号を一切送信しないのに対して、ＴＰ＃２はCSI-RS config(4)に対応するリソースでデータ信号を送信する。一方、ＴＰ＃３は、ＣＳＩ−ＲＳの送信タイミングではCSI-RS config(4)に対応するリソースでＣＳＩ−ＲＳを送信し、ＣＳＩ−ＲＳの送信タイミング以外ではCSI-RS config(4)に対応するリソースでＣＳＩ−ＲＳを送信しない。よって、端末は、CSI-RS config(4)に対応するリソースで、ＴＰ＃２からのデータ信号及びＴＰ＃３からのＣＳＩ−ＲＳが混在した信号を受信する場合と、ＴＰ＃２からのデータ信号のみを受信する場合とがあり、受信した信号に基づいて得られる干渉成分の推定結果がばらついてしまう。
【００７５】
一方、上記干渉成分の推定結果のばらつきを回避する方法として、無送信信号用リソースとして、十分に多くのＣＳＩ−ＲＳのリソースを設定して、干渉成分の測定値の平均化を図る方法が考えられる。しかし、この方法では、無送信信号用リソースが設定されたサブフレームにおいて、無送信信号リソースに設定されるリソースが増加し、本来データ送信に使用されるはずのリソースが減少するので、システムスループットの低減を招いてしまう。
【００７６】
そこで、本実施の形態では、端末が接続しているＴＰと協調していないＴＰを考慮して、システムスループット低減を防止しつつ、ＣＳＩを高精度で測定することができる干渉推定用リソースの通知方法について説明する。
【００７７】
なお、本実施の形態に係る基地局及び端末は、実施の形態１に係る基地局１００及び端末２００と基本構成が共通するので、図６，７を援用して説明する。
【００７８】
基地局１００において、設定部１０１は、実施の形態１の動作に加え、ＣＳＩ報告対象端末２００に対して、干渉推定用リソース情報を生成する。干渉推定用リソース情報は、各ＴＰのＣＳＩ−ＲＳのパラメータと同様、ＣＳＩ−ＲＳ構成番号（CSI-RS config(i)）と、送信周期とオフセットとで構成される送信サブフレームとを含む。
【００７９】
干渉推定用リソース情報は、基地局１００から端末２００へ予め通知され、基地局１００と端末２００との間で共有される。なお、干渉推定用リソース情報を含む設定情報は、例えば、RRC signalingによって基地局１００から端末２００へ通知される。また、例えば、基地局１００は、設定情報をCSI-RS-Configメッセージに含めて通知してもよい。また、基地局１００は、ＣＳＩ報告対象端末２００に対して周期的ＣＳＩ報告又は非周期的ＣＳＩ報告の何れであるかを設定し、設定した情報を、CQI-ReportConfigメッセージに含めて通知してもよい。
【００８０】
一方、端末２００において、受信処理部２０３は、ＴＰ情報、干渉推定用リソース情報、割当制御情報、トリガ情報、及びデータ信号を抽出する。受信処理部２０３は、実施の形態１と同様、ＴＰ情報に示される各ＴＰのＣＳＩ−ＲＳのパラメータに基づいて、受信信号から参照信号（例えば、ＣＳＩ−ＲＳ）を抽出し、参照信号（受信値）をＣＳＩ生成部２０６に出力する。
【００８１】
また、受信処理部２０３は、干渉推定用リソース情報を用いて干渉推定用リソースを特定する。具体的には、受信処理部２０３は、ＣＳＩ−ＲＳ構成（ＣＳＩ−ＲＳ用のリソース群）のうち、干渉推定用リソース情報に示されるＣＳＩ−ＲＳ構成番号（例えば、CSI-RS config(i)）に対応するリソースと、干渉推定用リソース情報に示されるＣＳＩ−ＲＳ構成番号（CSI-RS config(i)）から所定数離れたＣＳＩ−ＲＳ構成番号に対応するリソースとを用いて構成される干渉推定用リソースを特定する。そして、受信処理部２０３は、特定した干渉推定用リソースにおいて信号成分を抽出し、抽出した信号成分をＣＳＩ生成部２０６に出力する。
【００８２】
なお、各ＴＰに対して設定された干渉推定用リソースでは、当該ＴＰはデータ信号を送信しない。よって、特定された干渉推定用リソースで受信される信号成分は、上記ＴＰ以外の周辺のＴＰから送信された信号（上記ＴＰに対する干渉・雑音成分）である。
【００８３】
ＣＳＩ生成部２０６は、ＣＳＩ−ＲＳを所望信号とし、干渉推定用リソースの信号成分を干渉・雑音成分として、ＣＳＩを生成する。例えば、ＣＳＩ生成部２０６は、周期的なＣＳＩ報告が設定されている場合、設定されたＣＳＩ報告タイミングで、各ＴＰのＣＳＩを生成する。また、ＣＳＩ生成部２０６は、非周期的なＣＳＩ報告が設定されている場合、ＣＳＩ報告のトリガのタイミングで、各ＴＰのＣＳＩを生成する。生成されたＣＳＩは、送信信号形成部２０８及び送信部２０９を介して、基地局１００へ送信される。
【００８４】
次に、干渉推定用リソースの設定例について説明する。ここでは、図２Ｂに示す４ポートのＣＳＩ−ＲＳ構成を一例として説明する。
【００８５】
基地局１００（設定部１０１）は、図２Ｂに示すＣＳＩ−ＲＳ構成（CSI-RS config(0)〜(9)）のリソースの中から、干渉推定用リソースの一部としていずれか１つを選択する。基地局１００は、選択したＣＳＩ−ＲＳ構成番号（CSI-RS config(i)）を含む干渉推定用リソース情報を端末２００へ通知する。
【００８６】
端末２００（受信処理部２０３）は、干渉推定用リソース情報に示されるCSI-RS config(i)のリソース内の一部のリソースと、CSI-RS config(i)と所定数離れた番号のCSI-RS configのリソース内の一部のリソースを用いて干渉推定を実施する。
【００８７】
ここでは、所定数として「３」が予め設定され、端末２００は、CSI-RS config(i)と、CSI-RS config(i+3)とを用いて構成される干渉推定用リソースを特定する。なお、（i+3）の値が該当のポート数でのCSI-RS config数を超える場合、剰余演算を行えばよい。例えば、図２Ｂに示す４ポートのCSI-RS config数は１０個（#0〜#9）であるので、mod((i+3),10)として剰余演算をとればよい。なお、関数mod（x,y）は、ｘをｙで割った際の余りを返す関数である。
【００８８】
また、図２Ｂに示すように、各ＣＳＩ−ＲＳ構成番号に対応するＣＳＩ−ＲＳのリソースは、同一の連続する２つのＯＦＤＭシンボル内の複数（図２Ｂでは２つ）のサブキャリアに、２つのＯＦＤＭシンボル単位（２ＲＥ単位）で分散した４ＲＥで構成される。例えば、干渉推定用リソースは、CSI-RS config(i)のリソースの半分（２ＲＥ）と、CSI-RS config(i+3)のリソースの半分（２ＲＥ）とで構成される。
【００８９】
例えば、図９Ａは、干渉推定用リソース情報としてCSI-RS config(4)が設定される場合（i=4）の干渉推定用リソースを示す。つまり、端末２００は、CSI-RS config(4)と、CSI-RS config(4)から「３」離れた番号のCSI-RS config(7)とを干渉推定用リソースとして用いる。また、図９Ａに示す干渉推定用リソースは、CSI-RS config(4)のリソース内の２ＲＥと、CSI-RS config(7)のリソース内の２ＲＥとで構成される。
【００９０】
ここで、例えば、図９Ａにおいて、協調していないＴＰに対してCSI-RS config(4)が設定されている場合には、干渉推定用リソースを構成するリソースのうち、一方のCSI-RS config(4)のリソースにおいて上述した衝突が起こり得る。しかし、図９Ａに示すように、干渉推定用リソースを構成するリソースのうちの他方のCSI-RS config(7)では、協調していないＴＰとの間で上記衝突は起こらない。つまり、端末２００は、協調していないＴＰのＣＳＩ−ＲＳのリソースとの衝突が干渉推定用リソースの全体で生じることを回避して、干渉推定を行うことができる。これにより、端末２００は、協調していないＴＰ（ＴＰ情報が得られないＴＰ）から送信されるＣＳＩ−ＲＳとの衝突による干渉推定への影響を低減することができる。
【００９１】
ここで、協調しているＴＰのグループ（CoMP measurement set。協調クラスタと呼ぶこともある）内でＣＳＩ報告のタイミングを揃える（つまり、端末２００が同時にＣＳＩ−ＲＳを受信する）という観点より、同一ＯＦＤＭシンボルでＣＳＩ−ＲＳが送信されるように、ＣＳＩ−ＲＳのリソースを設定する運用が一般的である。すなわち、異なるグループ（異なる協調クラスタ）では、互いに異なるＯＦＤＭシンボルでＣＳＩ−ＲＳのリソースが設定される可能性がある。これに対して、図９Ａ（図２Ｂ）に示すＣＳＩ−ＲＳ構成において、CSI-RS config(i)のリソースとCSI-RS config(i+3)のリソースとは、互いに隣接しない異なるＯＦＤＭシンボルのリソース（ＲＥ）に該当する割合が高い。具体的には、CSI-RS config(i)とCSI-RS config(i+3)との組み合わせのうち、CSI-RS config(3)とCSI-RS config(6)との組み合わせ（i=3）を除く他の全ての組み合わせでは、互いに隣接しない異なるＯＦＤＭシンボルのリソース（ＲＥ）に該当する。
【００９２】
こうすることで、CSI-RS config(i)に対応するＯＦＤＭシンボル及びCSI-RS config(i+3)に対応するＯＦＤＭシンボルのうち、いずれか一方のＯＦＤＭシンボルにおいて、協調していないＴＰを含む協調クラスタでＣＳＩ−ＲＳのリソースが設定されていたとしても、他方のＯＦＤＭシンボルでは上記協調していないＴＰのＣＳＩ−ＲＳとの衝突を回避できる。よって、端末２００は、当該他方のＯＦＤＭシンボルに設定された干渉推定用リソースを用いて干渉量を平均化することで、協調していないＴＰから送信されるＣＳＩ−ＲＳとの衝突による干渉推定への影響を低減することができる。
【００９３】
また、図９Ａに示す干渉推定用リソースは、CSI-RS config(4)の４ＲＥのうち互いに異なるサブキャリアかつ互いに異なるＯＦＤＭシンボルの２ＲＥと、CSI-RS config(7)の４ＲＥのうち互いに異なるサブキャリアかつ互いに異なるＯＦＤＭシンボルの２ＲＥとで構成される。換言すると、図９Ａに示す干渉推定用リソースは、CSI-RS config(4)の各サブキャリアの時間領域で連続する２ＲＥのうちいずれか一方のＲＥ（合計２ＲＥ）と、CSI-RS config(7)の各サブキャリアの時間領域で連続する２ＲＥのうちいずれか一方のＲＥ（合計２ＲＥ）とで構成される。例えば、図９Ａに示すように、CSI-RS config(4)及びCSI-RS config(7)のそれぞれでは、互いに異なる周波数（サブキャリア）のうち、一方のサブキャリアでは、連続する２ＯＦＤＭシンボルの先頭シンボルのＲＥが干渉推定用リソースとして抽出され、他方のサブキャリアでは、連続する２ＯＦＤＭシンボルの後続シンボルが干渉推定用リソースとして抽出される。
【００９４】
こうすることで、端末２００は、周波数領域及び時間領域にそれぞれ分散されたリソースを用いて干渉推定を行うことができる。
【００９５】
また、ＣＳＩ−ＲＳは、各サブキャリアにおいて時間領域で連続する２ＯＦＤＭシンボル（２ポート分のＣＳＩ−ＲＳに相当）で符号多重（（+1,+1）又は（+1,-1））される。これに対して、干渉推定用リソースでは例えばヌルキャリアが設定されることが想定される。つまり、干渉推定用リソースは、ＣＳＩ−ＲＳのように各サブキャリアにおいて時間領域で連続する必要は無く、図９Ａに示すように、各サブキャリアの１つのＯＦＤＭシンボルのＲＥで構成されても問題ない。また、図９Ａに示すように、干渉推定用リソースである４ＲＥは、時間領域にそれぞれ分散して設定されているので、協調していないＴＰのＣＳＩ−ＲＳとの衝突が起きる場合でも、衝突したＣＳＩ−ＲＳの符号多重が（+1,+1）であるか（+1,-1）であるかによって受ける影響が平均化される。これにより、ＣＳＩ−ＲＳの衝突に起因する干渉成分のばらつきの影響を緩和することができる。
【００９６】
また、各ＴＰでは、データ信号の符号化率は、ＣＳＩ−ＲＳのリソースが除かれた領域を考慮して決定される。つまり、４ポートのＣＳＩ−ＲＳが設定された場合には、４ＲＥを除いた領域を考慮してレートマッチングが行われる。一方で、上述したように、干渉推定用リソースは、CSI-RS config(i)のリソース内の一部（２ＲＥ）とCSI-RS config(i+3)のリソース内の一部（２ＲＥ）とで構成される（合計４ＲＥ）。つまり、４ポートのＣＳＩ−ＲＳの送信に用いられるＣＳＩ−ＲＳのリソースと、干渉推定用リソースとは、配置位置が異なるものの、リソース量（ＲＥ数）は同一である。また、上述したように、ＴＰは当該ＴＰに設定された干渉推定用リソースでは信号を送信しない。よって、各ＴＰでは、干渉推定を行うサブフレームにおいても、干渉推定用リソースである４ＲＥを除いた領域を考慮してレートマッチングが行われる。
【００９７】
このように、４ポートのＣＳＩ−ＲＳのリソースと同数のＲＥが干渉推定用リソースに設定されるので、ＴＰは、干渉推定を行うサブフレームにおいても、ＣＳＩ−ＲＳの送信を行うサブフレームと同一のレートマッチングによりデータ信号を送信できる。つまり、端末２００は、干渉推定を行うサブフレームであるか否かによるレートマッチングの影響を受けずにデータ信号を受信することができる。
【００９８】
また、上述したように、干渉推定用リソースは、複数のＣＳＩ−ＲＳ構成番号のリソースのそれぞれの一部を用いて構成される。これにより、干渉推定におけるＣＳＩ−ＲＳとの衝突を回避するために複数のＣＳＩ−ＲＳ構成番号のリソースを干渉推定用リソースとしてそのまま用いる場合と比較して、干渉推定用リソースの領域の増加を抑えることができる。つまり、干渉推定においてＣＳＩ−ＲＳの衝突を回避するためにデータ領域が減少してしまうことを抑えることで、システムスループットの低減を防ぐことができる。
【００９９】
このようにして、本実施の形態では、基地局１００において、設定部１０１が、ＣＳＩ−ＲＳ構成（参照信号用のリソース群）の中から、CSI-RS config(i)（第１の番号）のリソースを設定し、送信処理部１０４が、CSI-RS config(i)（第１の番号）を含む制御情報（干渉推定用リソース情報）を端末２００に送信し、受信処理部１０８が、端末２００において、上記制御情報から特定されるCSI-RS config(i)（第１の番号）のリソース、及びCSI-RS config(i)から所定数（ここでは３）離れたCSI-RS config(i+3)（第２の番号）のリソースで構成されるリソース（干渉推定用リソース）において特定のＴＰ以外のＴＰから送信された信号と、上記特定のＴＰから送信されたＣＳＩ−ＲＳとを用いて生成されるＣＳＩ（チャネル情報）を受信する。
【０１００】
また、端末２００において、受信処理部２０３が、特定のＴＰから送信されたＣＳＩ−ＲＳと、制御情報（干渉推定用リソース情報）を受信し、ＣＳＩ−ＲＳ構成（参照信号用のリソース群）のうち上記制御情報から特定されるCSI-RS config(i)（第１の番号）のリソース、及びCSI-RS config(i)から所定数（ここでは３）離れたCSI-RS config(i+3)（第２の番号）のリソースで構成されるリソース（干渉推定用リソース）において上記特定のＴＰ以外のＴＰから送信された信号を受信し、ＣＳＩ生成部２０６が、ＣＳＩ−ＲＳ、及び、上記信号を用いて、ＣＳＩを生成し、送信信号形成部２０８が、生成されたＣＳＩを送信する。
【０１０１】
こうすることで、干渉推定用リソースとして、複数のCSI-RS configが設定されるので、干渉推定において、協調していないＴＰからのＣＳＩ−ＲＳとの衝突による影響を低減することができる。これにより、端末２００は、協調していないＴＰによる干渉量のばらつきを軽減し、各ＴＰに対して精度良く干渉推定を行うことができる。よって、本実施の形態によれば、端末が接続しているＴＰと協調していないＴＰを考慮して、システムスループット低減を防止しつつ、ＣｏＭＰ制御の対象となる各ＴＰと端末２００とのＣＳＩ測定精度を向上させ、ＣｏＭＰ制御を高精度で実現することができる。
【０１０２】
また、本実施の形態では、干渉推定用リソース情報は例えばRRC signaling等の制御を用いて通知されるので、干渉推定に関するシグナリング量の増大を抑えることができる。また、本実施の形態では、干渉推定用リソースとして、各ＴＰに設定されるＣＳＩ−ＲＳのリソースと同量（図９Ａでは４ＲＥ）のリソースが設定される。これにより、レートマッチングのパターン数の増大を抑えることができる。
【０１０３】
なお、本実施の形態において、干渉推定用リソースは、図９Ａに示す設定例に限定されない。例えば、図９Ｂは、図９Ａと同様、干渉推定用リソース情報としてCSI-RS config(4)が設定される場合（i=4）の干渉推定用リソースを示す。つまり、端末２００は、CSI-RS config(4)とCSI-RS config(7)とを干渉推定用リソースとして用いる。また、図９Ｂに示す干渉推定用リソースは、CSI-RS config(4)のリソース内の２ＲＥと、CSI-RS config(7)のリソース内の２ＲＥとで構成される。例えば、図９Ｂに示すように、CSI-RS config(4)及びCSI-RS config(7)のそれぞれでは、連続する２つのＯＦＤＭシンボルのいずれか一方のＯＦＤＭシンボル内の互いに異なるサブキャリアに分散した２ＲＥでそれぞれ構成される。また、図９Ｂに示すように、CSI-RS config(4)のリソース及びCSI-RS config(7)のリソースのうち、一方（図９ＢではCSI-RS config(7)）では連続する２つのＯＦＤＭシンボルのうち先頭シンボルのＲＥが干渉推定用リソースとして抽出され、他方（図９ＢではCSI-RS config(4)）では、連続する２つのＯＦＤＭシンボルのうち後続シンボルのＲＥが干渉推定用リソースとして抽出される。こうすることで、同一ＯＦＤＭシンボル（先頭シンボル及び末尾シンボルの何れか一方）内での干渉推定結果（干渉推定のサンプル数）を確保することができる。これにより、例えば、ＤＦＴ（Discrete Fourier Transform）を用いたチャネル推定等によるチャネル推定精度を確保しつつ、ＣＳＩ−ＲＳの衝突に起因する干渉成分のばらつきの影響を緩和することができる。
【０１０４】
また、本実施の形態では、４ポートのＣＳＩ−ＲＳ構成（図２Ｂ）を用いる場合を一例として説明したが、これに限らず、例えば、８ポートのＣＳＩ−ＲＳ構成（図２Ａ）を用いてもよい。例えば、８ポートのＣＳＩ−ＲＳ構成では、干渉推定用リソースとして通知されたCSI-RS config(i)に対応するリソースから４ＲＥが抽出され、CSI-RS config(i)から所定の間隔（ここでは３）離れた番号のCSI-RS config(i+3)に対応するリソースから４ＲＥが抽出される。こうすることで、例えば、ＴＰ情報として端末２００に８ポートのＣＳＩ−ＲＳ構成が通知される場合、干渉推定用リソースとして、ポート数を別途通知する必要が無い。
【０１０５】
図１０Ａ〜Ｄは、８ポートのＣＳＩ−ＲＳ構成を用いた場合の干渉推定用リソースの設定例を示す。
【０１０６】
図１０Ａ，Ｂでは、CSI-RS config(i)及びCSI-RS config(i+3)のそれぞれにおいて、対応する４サブキャリアのうち２サブキャリアからそれぞれ２ＲＥが干渉推定用リソースとして抽出される。また、図１０Ａと図１０Ｂとでは、CSI-RS config(4)に対応する４サブキャリアのうち、干渉推定用リソースとして使用されるサブキャリアが互いに異なる。
【０１０７】
一方、図１０Ｃ，Ｄでは、CSI-RS config(i)及びCSI-RS config(i+3)のそれぞれにおいて、対応する４サブキャリアからそれぞれ１ＲＥが干渉推定用リソースとして抽出される。これにより、干渉推定用リソースに設定されたCSI-RS configに対応する各サブキャリア中で少なくとも１ＲＥを用いた干渉推定が実施される。また、図１０Ｃでは、干渉推定用リソースに設定された各CSI-RS configにおいて、隣接するサブキャリア間で互いに異なるＯＦＤＭシンボルの１ＲＥがそれぞれ抽出される。一方、図１０Ｄでは、干渉推定用リソースに設定された各CSI-RS configにおいて、隣接するサブキャリア間で同一ＯＦＤＭシンボルの１ＲＥがそれぞれ抽出される。また、図１０Ｄでは、干渉推定用リソースに設定されたCSI-RS config(i)とCSI-RS config(i+3)のうち、一方では連続する２つのＯＦＤＭシンボルのうち先頭シンボルのＲＥが抽出され、他方では連続する２つのＯＦＤＭシンボルのうち後続シンボルの１ＲＥがそれぞれ抽出される。
【０１０８】
また、本実施の形態では、干渉推定用リソースとして用いられるCSI-RS configの間隔である所定数を「３」とした。しかし、上記所定数は「３」に限定されない。例えば、上述したように協調されないＴＰのＣＳＩ−ＲＳとの衝突を回避すべく、異なるＯＦＤＭシンボルに干渉推定用リソースを設定すべきであることを考慮して、上記所定数を設定してもよい。例えば、図９Ａ（図２Ｂ）に示すＣＳＩ−ＲＳ構成では、所定数「３」離れたCSI-RS config同士は異なる隣接しないＯＦＤＭシンボルに該当する割合が高い。一方で、例えば、図９Ａ（図２Ｂ）では、所定数「５」離れたCSI-RS config同士は同一ＯＦＤＭシンボルかつ隣接するサブキャリアに該当する。これは、アンテナポート数が８のＣＳＩ−ＲＳ構成（図２Ａ）と開始位置の同じＣＳＩ−ＲＳ構成を同一の番号付けとすることを意図しているため、アンテナポート数が８のＣＳＩ−ＲＳとして取り得る構成数の「５つ」に起因する。よって、本実施の形態と同様、協調していないＴＰのＣＳＩ−ＲＳ設定が不明の場合には、上記所定数として「３」を用いた方が、上記所定数として「５」を用いるよりも、協調していないＴＰのＣＳＩ−ＲＳとの衝突を回避できる確率が高くなる。
【０１０９】
［実施の形態３］
実施の形態２では、干渉推定用リソースを構成するリソースの一部に対応するCSI-RS config(i)を基地局から端末へ通知する場合について説明した。これに対して、本実施の形態では、干渉推定用リソースをビットマップ表記で基地局から端末へ通知する場合について説明する。
【０１１０】
なお、本実施の形態に係る基地局及び端末は、実施の形態１に係る基地局１００及び端末２００と基本構成が共通するので、図６，７を援用して説明する。
【０１１１】
基地局１００において、設定部１０１は、実施の形態２と同様、ＣＳＩ報告対象端末２００に対して、干渉推定用リソース情報を生成する。ただし、設定部１０１は、実施の形態２とは異なり、無送信信号リソースのパラメータ（例えば、無送信ＣＳＩ−ＲＳ構成番号リスト(zeroTxPowerResourceConfigList)）と同様、干渉推定用リソース情報として、ビットマップ表記による干渉推定用ＣＳＩ−ＲＳ構成番号リストを生成する。つまり、干渉推定用リソース情報は、ＣＳＩ−ＲＳ構成（ＣＳＩ−ＲＳ用のリソース群）のうち、いずれが干渉推定用リソースを構成するリソースの一部（CSI-RS config(i)）であるかを示すビットマップ型の情報となる。ここでは、各ＣＳＩ−ＲＳ構成番号に対応するビットマップにおいて、「１」が干渉推定用リソースを表し、「０」が干渉推定用リソース以外のリソースを表すものとする。
【０１１２】
干渉推定用リソース情報は、基地局１００から端末２００へ予め通知され、基地局１００と端末２００との間で共有される。
【０１１３】
一方、端末２００において、受信処理部２０３は、実施の形態２と同様、干渉推定用リソース情報を用いて干渉推定用リソースを特定する。ここで、受信処理部２０３は、実施の形態２と異なり、干渉推定用リソース情報に含まれる干渉推定用ＣＳＩ−ＲＳ構成番号リストに示されるＣＳＩ−ＲＳ構成番号（例えば値が「１」であるＣＳＩ−ＲＳ構成番号）に対応するリソースと、当該干渉推定用ＣＳＩ−ＲＳ構成番号リストに示されるＣＳＩ−ＲＳ構成番号から所定数離れたＣＳＩ−ＲＳ構成番号に対応するリソースとを用いて構成される干渉推定用リソースを特定する。そして、受信処理部２０３は、特定した干渉推定用リソースの信号成分を抽出し、抽出した信号成分をＣＳＩ生成部２０６に出力する。
【０１１４】
なお、実施の形態１と同様、各ＴＰに対して設定された干渉推定用リソースでは、当該ＴＰはデータ信号を送信しない。よって、特定された干渉推定用リソースで受信される信号成分は、上記ＴＰ以外の周辺のＴＰから送信された信号（上記ＴＰに対する干渉・雑音成分）である。
【０１１５】
ＣＳＩ生成部２０６は、ＣＳＩ生成部２０６は、各ＴＰのＣＳＩ−ＲＳを所望信号とし、干渉推定用リソースの信号成分を干渉・雑音として、ＣＳＩを生成する。
【０１１６】
図１１Ａ，Ｂは、４ポートのＣＳＩ−ＲＳ構成の場合の干渉推定用リソースの設定例を示す。
【０１１７】
図１１Ａ，Ｂでは、干渉推定用ＣＳＩ−ＲＳ構成番号リストとして、｛0,0,0,0,1,1,0,0,0,0｝が設定されている。ここで、干渉推定用ＣＳＩ−ＲＳ構成番号リストは、先頭ビットから順にconfig#0〜config#9にそれぞれ対応し、「１」が干渉推定用リソースに対応し、「０」が干渉推定用リソース以外のリソースに対応する。つまり、この場合には、CSI-RS config(4)及びCSI-RS config(5)が干渉推定用リソースに設定されている。
【０１１８】
端末２００（受信処理部２０３）は、当該干渉推定用ＣＳＩ−ＲＳ構成番号リストが通知されると、CSI-RS config(4)及びCSI-RS config(5)のそれぞれ２ＲＥ、及び、CSI-RS config(4)及びCSI-RS config(5)のそれぞれに所定数（図１１Ａ，Ｂでは「３」）離れたCSI-RS config(7)及びCSI-RS config(8)のそれぞれ２ＲＥを、干渉推定用リソースとして特定する。
【０１１９】
例えば、図１１Ａに示す干渉推定用リソースは、図９Ａと同様、同一CSI-RS config内の４ＲＥのうち互いに異なるサブキャリアかつ互いに異なるＯＦＤＭシンボルの２ＲＥで構成される。一方、図１１Ｂに示す干渉推定用リソースは、図９Ｂと同様、各CSI-RS configのリソースにおける、連続する２つのＯＦＤＭシンボルのいずれか一方のＯＦＤＭシンボル内の互いに異なるサブキャリアに分散した２ＲＥで構成される。また、図１１Ｂに示す干渉推定用リソースでは、連続する２つのＯＦＤＭシンボルのうち先頭シンボルのＲＥが抽出されるCSI-RS configと、連続する２つのＯＦＤＭシンボルのうち末尾シンボルのＲＥが抽出されるCSI-RS configと、が存在する。
【０１２０】
このように、干渉推定用リソースが干渉推定用ＣＳＩ−ＲＳ構成番号リストにより通知される場合でも、実施の形態２と同様、干渉推定用リソースとして、複数のCSI-RS configが設定されるので、協調していないＴＰからのＣＳＩ−ＲＳとの衝突による影響を低減することができる。これにより、端末２００は、協調していないＴＰによる干渉量のばらつきを軽減し、各ＴＰに対して精度良く干渉推定を行うことができる。また、実施の形態２と同様、干渉推定用リソースは複数のＣＳＩ−ＲＳ構成番号のリソースのそれぞれの一部を用いて構成されるので、干渉推定においてＣＳＩ−ＲＳの衝突を回避するためにデータ領域が減少してしまうことを抑えることで、システムスループットの低減を防ぐことができる。よって、本実施の形態によれば、実施の形態２と同様、端末が接続しているＴＰと協調していないＴＰを考慮して、システムスループット低減を防止しつつ、ＣｏＭＰ制御の対象となる各ＴＰと端末２００とのＣＳＩ測定精度を向上させ、ＣｏＭＰ制御を高精度で実現することができる。
【０１２１】
また、本実施の形態では、実施の形態２と同様、干渉推定用リソース情報は例えばRRC signaling等の制御を用いて通知されるので、干渉推定に関するシグナリング量の増大を抑えることができる。
【０１２２】
また、本実施の形態では、上述したように、干渉推定用リソース情報として、無送信信号リソースと同様にしてＣＳＩ−ＲＳ構成番号リストを用いた。これにより、無送信信号リソースとしてＣＳＩ−ＲＳ構成番号リストが通知された場合に用いられるＣＳＩ−ＲＳのリソースと、干渉推定用リソースとしてＣＳＩ−ＲＳ構成番号リストが通知された場合に用いられるＣＳＩ−ＲＳのリソースとは、配置位置が異なるものの、リソース量（RE数）は同一である。例えば、ＣＳＩ−ＲＳ構成番号リストが｛0,0,0,0,1,1,0,0,0,0｝の場合、無送信信号リソースとして用いる場合にはCSI-RS config(4)及びCSI-RS config(5)内の８ＲＥが用いられるのに対して、干渉推定用リソースとして用いる場合には図１１Ａ，Ｂに示す８ＲＥが用いられる。よって、端末２００は、干渉推定を行うサブフレームであっても、無送信信号リソースでＣＳＩ−ＲＳ構成番号リストが通知された場合と同一のＲＥ数にてレートマッチングが適用されるので、レートマッチングによる影響を受けずにデータ信号を受信することができる。これにより、実施の形態２と同様、レートマッチングのパターン数の増大を抑えることができる。
【０１２３】
［実施の形態４］
本実施の形態では、干渉推定用リソース情報で通知される一方のCSI-RS configを用いて他方のCSI-RS configを特定するためのパラメータ、つまり、所定数（以下では「ｊ」で表す）を可変とする場合について説明する。
【０１２４】
なお、本実施の形態に係る基地局及び端末は、実施の形態１に係る基地局１００及び端末２００と基本構成が共通するので、図６，７を援用して説明する。
【０１２５】
基地局１００において、設定部１０１は、干渉推定用リソース情報として、実施の形態２と同様のＣＳＩ−ＲＳ構成番号（CSI-RS config(i)）に加え、干渉推定用リソースに設定される２つのCSI-RS config間の番号の間隔を表す所定数ｊを設定する。また、設定部１０１は、基地局１００の周辺基地局との間で行われる情報交換に応じて、所定数ｊを変更可能か否かを判断する。そして、設定部１０１は、所定数ｊを変更可能と判断する場合には、所定数ｊを変更し、変更後の所定数ｊを示す干渉推定用リソース情報を設定する。つまり、干渉推定用リソース情報は、干渉推定用リソースの一部を構成するリソースのＣＳＩ−ＲＳ構成番号（CSI-RS config(i)）及び所定数ｊを示す情報であり、所定数が変更された場合には変更後の所定数のみを示す情報である。干渉推定用リソース情報は、例えば、RRC signalingを用いて、基地局１００から端末２００へ通知される。
【０１２６】
ここで、干渉推定用リソースの間隔ｊを変更可能か否かの条件として、周辺基地局で使用されるCSI-RS configと、端末２００に設定される干渉推定用リソースに対応するCSI-RS configとが重複（衝突）しないこと等が挙げられる。
【０１２７】
一方、端末２００において、受信処理部２０３は、実施の形態２と同様、干渉推定用リソース情報（CSI-RS config(i)、ｊ）を用いて干渉推定用リソースを特定する。具体的には、受信処理部２０３は、CSI-RS config(i)及びCSI-RS config(i+j)を干渉推定用リソースとして特定する。なお、CSI-RS config(i)及びCSI-RS config(i+j)に含まれる複数のリソース（ＲＥ）のうち、いずれのリソースを干渉推定用リソースとするかについては実施の形態２（例えば図９Ａ，Ｂ及び図１０Ａ〜Ｄ）と同様であるので、ここでは説明を省略する。
【０１２８】
次に、基地局１００及び端末２００の処理の流れについて説明する。図１２は、基地局１００及び端末２００の処理の流れを示すシーケンス図を示す。
【０１２９】
図１２において、基地局１００は、干渉推定用リソースに設定されるCSI-RS configの間隔を表す所定数ｊの初期値としてJ=3を設定する。
【０１３０】
ステップ（以下、「ＳＴ」で表す）１０１では、基地局１００は、ＴＰ情報及び干渉推定用リソース情報を端末２００へ通知する。ここで、干渉推定用リソースには、CSI-RS Config(i)及びｊ(=3)が含まれる。
【０１３１】
ＳＴ１０２では、基地局１００は、自機に設定されたＣＳＩ−ＲＳを端末２００へ送信する。
【０１３２】
ＳＴ１０３では、基地局１００は、端末２００に対して、各ＴＰのＣＳＩ報告を要求する。
【０１３３】
ＳＴ１０３でＣＳＩ報告要求を受け取ると、ＳＴ１０４では、端末２００は、ＳＴ１０２で受け取ったＣＳＩ−ＲＳを含む各ＴＰから受信したＣＳＩ−ＲＳと、ＳＴ１０１で受け取った干渉推定用リソース情報に基づいて特定した干渉推定用リソースで受信した信号（干渉信号）とを用いて、ＣＳＩ測定を行う。つまり、端末２００は、各ＴＰのＣＳＩ−ＲＳを所望信号とし、干渉推定用リソースの信号成分を干渉・雑音として、ＣＳＩを生成する。この際、端末２００は、ＳＴ１０１で受け取った干渉推定用リソース情報に示されるCSI-RS config(i)及び所定数j=3を用いて、CSI-RS config(i)及びCSI-RS config(i+3)を用いて干渉推定を行う。
【０１３４】
ＳＴ１０５では、端末２００は、ＳＴ１０４で測定したＣＳＩを基地局１００へ報告する。
【０１３５】
ＳＴ１０６では、基地局１００は、ＳＴ１０５で受け取ったＣＳＩを復調する。このＣＳＩは、例えば、適応変調、周波数スケジューリング及びＣｏＭＰ制御に使用される。
【０１３６】
ＳＴ１０７では、基地局１００は、基地局１００の周辺基地局との間で情報交換を行うことにより、干渉推定用リソースの間隔を表す所定数ｊが変更可能か否かを判断する。図１２では、基地局１００は、所定数ｊが変更可能であると判断し、判断結果に基づいて、所定数をj=0に変更する。
【０１３７】
ＳＴ１０８では、基地局１００は、変更された所定数ｊを示す干渉推定用リソース情報（つまり、干渉推定用リソースの更新）を端末２００へ通知する。
【０１３８】
ＳＴ１０９では、基地局１００は、ＳＴ１０２と同様にして、自機に設定されたＣＳＩ−ＲＳを端末２００へ送信する。ＳＴ１１０では、基地局１００は、端末２００に対して、CoMP measurement setのＣＳＩ報告を要求する。
【０１３９】
ＳＴ１１０でＣＳＩ報告要求を受け取ると、ＳＴ１１１では、端末２００は、ＳＴ１０９で受け取ったＣＳＩ−ＲＳを含む各ＴＰからのＣＳＩ−ＲＳと、ＳＴ１０８で受け取った干渉推定用リソース情報に基づいて特定した干渉推定用リソースで受信した信号（干渉信号）とを用いて、ＣＳＩ測定を行う。この際、端末２００は、ＳＴ１０１で受け取った干渉推定用リソース情報に示されるCSI-RS config(i)、及び、ＳＴ１０８で受け取った干渉推定用リソース情報に示される所定数j=0を用いて、CSI-RS config(i)及びCSI-RS config(i)を用いて干渉推定を行う。つまり、j=0の場合、干渉推定用リソースは、CSI-RS config(i)の全てのリソースで構成される。
【０１４０】
ＳＴ１１２では、端末２００は、ＳＴ１１１で測定したＣＳＩを、基地局１００へ報告する。ＳＴ１１３では、基地局１００は、ＳＴ１１１で受け取ったＣＳＩを復調する。このＣＳＩは、例えば、適応変調、周波数スケジューリング及びＣｏＭＰ制御に使用される。
【０１４１】
以降、基地局１００及び端末２００は、上記処理を繰り返す。
【０１４２】
このように、基地局１００は、周辺基地局との間で情報交換して、例えば、協調していないＴＰのCSI-RS configを把握する。これにより、基地局１００は、協調していないＴＰのＣＳＩ−ＲＳリソースと重複（衝突）しないように、干渉推定用リソースを更新することができる。つまり、端末２００は、基地局１００からの干渉推定用リソース情報に基づいて、干渉推定用リソースを更新することにより、協調していないＴＰがＣＳＩ−ＲＳを送信していないリソースで干渉推定を行うことができる。例えば、図１２に示すように、所定数がj=0に更新された場合、つまり、干渉推定用リソースが１つのCSI-RS config(i)のリソースのみで構成される場合でも、端末２００では、協調していないＴＰのＣＳＩ−ＲＳリソースとの衝突を回避できる。
【０１４３】
よって、本実施の形態によれば、協調していないＴＰのＣＳＩ−ＲＳリソースとの衝突を回避することで、実施の形態２と比較してより精度良く干渉推定を行うことができる。つまり、本実施の形態によれば、ＣｏＭＰ制御の対象となる各ＴＰと端末２００とのＣＳＩ測定精度を向上させ、ＣｏＭＰ制御を高精度で実現することができる。
【０１４４】
また、本実施の形態では、実施の形態２と同様、干渉推定用リソース情報は例えばRRC signaling等の制御を用いて通知されるので、干渉推定に関するシグナリング量の増大を抑えることができる。また、本実施の形態では、実施の形態２と同様、干渉推定用リソースとして、各ＴＰに設定されるＣＳＩ−ＲＳのリソースと同量のリソースが設定される。これにより、レートマッチングのパターン数の増大を抑えることができる。すなわち、本実施の形態では、干渉推定を行うサブフレームでも、干渉推定を行う端末２００は既存のレートマッチングパターンを用いることができるので、干渉推定用リソースが通知されない端末に対するデータ送信が可能となり、双方の端末の共存が容易になる。
【０１４５】
なお、本実施の形態では、干渉推定用リソースの更新にRRC signalingを用いる場合について説明したが、これに限らず、干渉推定用リソースの更新に、ＭＡＣ層で付加するヘッダとして制御情報を埋め込むMAC Control Element（MAC CE）を用いてもよい。干渉推定用リソースの更新にMAC CEを用いることで、ＴＰ情報等の制御情報を変更するよりも高速に干渉推定用リソースの変更が可能となる。
【０１４６】
また、本実施の形態において、干渉推定用リソース情報としては、ＣＳＩ−ＲＳ構成番号（CSI-RS config(i)）の代わりに、例えば、実施の形態３と同様の干渉推定用ＣＳＩ−ＲＳ構成番号リストを含めてもよい。
【０１４７】
［実施の形態５］
実施の形態１〜４では、同一サブフレーム内における干渉推定用リソースの通知方法について説明したのに対して、本実施の形態では、複数サブフレームに渡る干渉推定用リソースの通知方法について説明する。
【０１４８】
なお、本実施の形態に係る基地局及び端末は、実施の形態１に係る基地局１００及び端末２００と基本構成が共通するので、図６，７を援用して説明する。なお、基地局１００及び端末２００の各サブフレームでの動作は、実施の形態１〜４と同様であるので、ここでは説明を省略する。
【０１４９】
基地局１００において、設定部１０１は、ＣＳＩ−ＲＳの送信周期を設定するとともに、干渉推定用リソースの送信周期を設定する。この際、設定部１０１は、干渉推定用リソースが設定される周期（送信周期）を、ＣＳＩ−ＲＳの送信周期との最小公倍数がより大きくなるように設定する。例えば、設定部１０１は、ＣＳＩ−ＲＳの送信周期と干渉推定用リソースの送信周期との最小公倍数が所定値以上となるように、ＣＳＩ−ＲＳの送信周期及び干渉推定用リソースの送信周期を設定してもよい。
【０１５０】
例えば、設定部１０１は、ＴＰ情報としてＣＳＩ−ＲＳの送信周期を５，１０，２０，４０，８０ｍｓのいずれか（５ｍｓの整数倍）に設定する。一方、設定部１０１は、干渉推定用リソースの送信周期を、６ｍｓ又は８ｍｓのいずれかに設定する。
【０１５１】
例えば、図１３は、ＣＳＩ−ＲＳの送信周期を５ｍｓとし、干渉推定用リソースの送信周期を６ｍｓとする場合を示す。図１３に示すように、ＣＳＩ−ＲＳのサブフレームと、干渉推定用リソースのサブフレームとは、それぞれの送信周期の最小公倍数である３０ｍｓ周期で一致する。
【０１５２】
同様に、ＣＳＩ−ＲＳの送信周期を５ｍｓとし、干渉推定用リソースの送信周期を８ｍｓとする場合（図示せず）には、ＣＳＩ−ＲＳのサブフレームと、干渉推定用リソースのサブフレームとは、それぞれの送信周期の最小公倍数である４０ｍｓ周期で一致する。
【０１５３】
すなわち、干渉推定用リソースの送信周期とＣＳＩ−ＲＳの送信周期との最小公倍数がより大きいほど、干渉推定用リソースとＣＳＩ−ＲＳとが重複（衝突）するサブフレーム（上記衝突の頻度）をより低減することができる。
【０１５４】
一方、端末２００は、基地局１００から通知されたＣＳＩ−ＲＳ及び干渉推定用リソースを用いてＣＳＩ測定を行い、ＣＳＩ測定結果を基地局１００に報告する。
【０１５５】
こうすることで、複数のサブフレーム間において、例えば、協調していないＴＰ(図１３ではCell#c)のＣＳＩ−ＲＳのリソースと、協調しているＴＰ（図１３ではCell#a,#b）の干渉推定用リソースとの衝突頻度を少なくすることができ、衝突によるＣＳＩ推定精度への影響を低減することが可能となる。
【０１５６】
なお、本実施の形態では、干渉推定用リソースの送信周期を６，８ｍｓとする場合を一例として説明したが、これらに限定されない。例えば、ＣＳＩ−ＲＳの送信周期として設定可能な値が５個（５，１０，２０，４０，８０ｍｓのいずれか）であれば、干渉推定用リソースの送信周期も同様に、６ｍｓ又は８ｍｓの整数倍として、例えば、（６，１２，１８，２４，３０ｍｓのいずれか）又は（８，１６，２４，３２，４０ｍｓのいずれか）に設定する構成としてもよい。これにより、従来の送信サブフレームの通知方法を流用しつつ、シグナリング量を増加させること無く、干渉推定用リソース設定の自由度を高めることができる。
【０１５７】
また、本実施の形態では、干渉推定用リソースの送信周期設定の際、常に上記設定された送信サブフレームを用いる場合について説明したが、これに限定されない。例えば、RRC signalingにて、セル間干渉制御を想定したＣＳＩ報告が設定されている場合（resource restricted CSI measurementがconfigureされている場合）には、干渉推定用リソースの送信周期として（８，１６，２４，３２，４０ｍｓ）のいずれかを適用し、上記以外の場合には、干渉推定用リソースの送信周期として（５，１０，２０，４０，８０ｍｓ）のいずれかを適用してもよい。これにより、セル間干渉制御を想定したＣＳＩ報告、すなわち、周辺セルの干渉量が多いことが想定される場合にのみ干渉推定リソースの送信サブフレームを、通常の送信サブフレームと異ならせることが可能となる。
【０１５８】
［実施の形態６］
実施の形態１〜５では、干渉推定用リソースにおいて各ＴＰは無送信としていたが、本実施の形態では、干渉推定用リソース上で各ＴＰから送信される既知信号を用いて干渉を推定する場合について説明する。
【０１５９】
上述のように、干渉推定では、端末は、着目するＴＰ（ＣＳＩ測定対象）以外の他のＴＰから届く信号成分を観測し、観測した信号成分を、着目するＴＰから送信されるデータに対する干渉量として推定することを目的としている。これを、干渉量を表現した既知信号を基地局にて適切に設定することで、あるＴＰに対応したＣＳＩ−ＲＳを所望信号とし、既知信号を用いて推定した干渉量と対応付け、ＣＳＩを測定することができる。
【０１６０】
このように干渉量の推定に用いる既知信号を、所望信号の推定に用いる既知信号（ＣＳＩ−ＲＳ）と別々に通知することで、データ送信に用いられるプリコーディングを適用したり、該当ＴＰから送信されるデータ量に合わせ干渉量を電力として表現したりすること（所望信号の推定に用いるＣＳＩ−ＲＳを最大送信電力とし、データ量が全リソースの半分程度であればそこから３ｄＢ低い電力とするなど）が可能となる。また、協調しているＴＰの信号をＴＰ毎に区別する必要はなく、合計して得られる干渉量を測定できればよいことから、協調している各ＴＰで用いる干渉推定用リソースを共通とすることも可能である。
【０１６１】
例えば、図１４Ａに示すように、ＴＰ＃１及びＴＰ＃２が協調しているCoMP measurement set内に端末が位置し、ＴＰ＃３がＴＰ＃１，＃２と協調していない場合について説明する。図１４Ａでは、ＣＳＩ−ＲＳのリソースとして、ＴＰ＃１に対してCSI-RS config(2)が設定され、ＴＰ＃２に対してCSI-RS config(3)が設定され、ＴＰ＃３に対してCSI-RS config(4)が設定されている。また、ＣＳＩ測定対象のＴＰ（例えばＴＰ＃１とする）に対する干渉推定用リソースとしてCSI-RS config(4)が設定されている。この場合、端末に対しては、協調しているＴＰ＃１及び＃２のＣＳＩ−ＲＳのリソースとしてCSI-RS config(2)及びCSI-RS config(3)が通知され、かつ、干渉推定用リソースとしてCSI-RS config(4)が通知される。
【０１６２】
本実施の形態では、図１４の場合、干渉推定用リソースが設定されたサブフレームでは、ＴＰ＃１及び＃２（協調しているＴＰ）のうち、ＴＰ＃１（ＣＳＩ測定対象）はCSI-RS config(4)に対応するリソースでデータ送信に用いられるプリコーディングを適用（または干渉量を電力として表現）した既知信号を送信する。
【０１６３】
なお、本実施の形態に係る基地局及び端末は、実施の形態１に係る基地局１００及び端末２００と基本構成が共通するので、図６，７を援用して説明する。
【０１６４】
基地局１００において、設定部１０１は、実施の形態１の動作に加え、ＣＳＩ報告対象端末２００に対して、干渉推定用リソース情報を生成する。干渉推定用リソース情報は、各ＴＰのＣＳＩ−ＲＳのパラメータと同様、ＣＳＩ−ＲＳ構成番号（CSI-RS config(i)）と、送信周期とオフセットとで構成される送信サブフレームとを含む。
【０１６５】
干渉推定用リソース情報は、基地局１００から端末２００へ予め通知され、基地局１００と端末２００との間で共有される。なお、干渉推定用リソース情報を含む設定情報は、例えば、RRC signalingによって基地局１００から端末２００へ通知される。また、例えば、基地局１００は、設定情報をCSI-RS-Configメッセージに含めて通知してもよい。また、基地局１００は、ＣＳＩ報告対象端末２００に対して周期的ＣＳＩ報告又は非周期的ＣＳＩ報告の何れであるかを設定し、設定した情報を、CQI-ReportConfigメッセージに含めて通知してもよい。
【０１６６】
一方、端末２００において、受信処理部２０３は、ＴＰ情報、干渉推定用リソース情報、割当制御情報、トリガ情報、及びデータ信号を抽出する。受信処理部２０３は、実施の形態１と同様、ＴＰ情報に示される各ＴＰのＣＳＩ−ＲＳのパラメータに基づいて、受信信号から参照信号（例えば、ＣＳＩ−ＲＳ）を抽出し、参照信号（受信値）をＣＳＩ生成部２０６に出力する。
【０１６７】
また、受信処理部２０３は、干渉推定用リソース情報を用いて干渉推定用リソースを特定する。具体的には、受信処理部２０３は、ＣＳＩ−ＲＳ構成（ＣＳＩ−ＲＳ用のリソース群）のうち、干渉推定用リソース情報に示されるＣＳＩ−ＲＳ構成番号（例えば、CSI-RS config(i)）に対応するリソースと、干渉推定用リソース情報に示されるＣＳＩ−ＲＳ構成番号（CSI-RS config(i)）から所定数離れたＣＳＩ−ＲＳ構成番号に対応するリソースとを用いて構成される干渉推定用リソースを特定する。そして、受信処理部２０３は、特定した干渉推定用リソースにおいて信号成分を抽出し、抽出した信号成分をＣＳＩ生成部２０６に出力する。
【０１６８】
次に、干渉推定用リソースの設定例について説明する。ここでは、図１５に示す２ポートのＣＳＩ−ＲＳ構成を一例として説明する。
【０１６９】
例えば、図１５は、干渉推定用リソース情報としてCSI-RS config(4)が設定される場合（i=4）の干渉推定用リソースを示す。つまり、端末２００は、CSI-RS config(4)と、CSI-RS config(4)から「３」離れた番号のCSI-RS config(7)とを干渉推定用リソースとして用いる。また、図１５に示す干渉推定用リソースは、CSI-RS config(4)のリソース内の１ＲＥと、CSI-RS config(7)のリソース内の１ＲＥとで構成される。こうすることで、実施の形態１と同様に、協調していないＴＰとの衝突の機会を減らし、端末２００は、協調していないＴＰ（ＴＰ情報が得られないＴＰ）から送信されるＣＳＩ−ＲＳとの衝突による干渉推定への影響を低減することができる。
【０１７０】
また、各ＴＰでは、データ信号の符号化率は、ＣＳＩ−ＲＳのリソースが除かれた領域を考慮して決定される。つまり、２ポートのＣＳＩ−ＲＳが設定された場合には、２ＲＥを除いた領域を考慮してレートマッチングが行われる。一方で、上述したように、干渉推定用リソースは、CSI-RS config(i)のリソース内の一部（１ＲＥ）とCSI-RS config(i+3)のリソース内の一部（１ＲＥ）とで構成される（合計２ＲＥ）。つまり、２ポートのＣＳＩ−ＲＳの送信に用いられるＣＳＩ−ＲＳのリソースと、干渉推定用リソースとは、配置位置が異なるものの、リソース量（ＲＥ数）は同一である。また、上述したように、ＴＰは当該ＴＰに設定された干渉推定用リソースではデータではなく既知信号を送信する。よって、各ＴＰでは、干渉推定を行うサブフレームにおいても、干渉推定用リソースである２ＲＥを除いた領域を考慮してレートマッチングが行われる。
【０１７１】
このように、２ポートのＣＳＩ−ＲＳのリソースと同数のＲＥが干渉推定用リソースに設定されるので、ＴＰは、干渉推定を行うサブフレームにおいても、ＣＳＩ−ＲＳの送信を行うサブフレームと同一のレートマッチングによりデータ信号を送信できる。つまり、端末２００は、干渉推定を行うサブフレームであるか否かによるレートマッチングの影響を受けずにデータ信号を受信することができる。
【０１７２】
また、上述したように、干渉推定用リソースは、複数のＣＳＩ−ＲＳ構成番号のリソースのそれぞれの一部を用いて構成される。これにより、干渉推定におけるＣＳＩ−ＲＳとの衝突を回避するために複数のＣＳＩ−ＲＳ構成番号のリソースを干渉推定用リソースとしてそのまま用いる場合と比較して、干渉推定用リソースの領域の増加を抑えることができる。つまり、干渉推定においてＣＳＩ−ＲＳの衝突を回避するためにデータ領域が減少してしまうことを抑えることで、システムスループットの低減を防ぐことができる。
【０１７３】
このようにして、本実施の形態では、基地局１００において、設定部１０１が、ＣＳＩ−ＲＳ構成（参照信号用のリソース群）の中から、CSI-RS config(i)（第１の番号）のリソースを設定し、送信処理部１０４が、CSI-RS config(i)（第１の番号）を含む制御情報（干渉推定用リソース情報）を端末２００に送信し、受信処理部１０８が、端末２００において、上記制御情報から特定されるCSI-RS config(i)（第１の番号）のリソース、及びCSI-RS config(i)から所定数（ここでは３）離れたCSI-RS config(i+3)（第２の番号）のリソースで構成されるリソース（干渉推定用リソース）において特定のＴＰ以外のＴＰから送信された信号と、上記特定のＴＰから送信されたＣＳＩ−ＲＳとを用いて生成されるＣＳＩ（チャネル情報）を受信する。
【０１７４】
また、端末２００において、受信処理部２０３が、特定のＴＰから送信されたＣＳＩ−ＲＳと、制御情報（干渉推定用リソース情報）を受信し、ＣＳＩ−ＲＳ構成（参照信号用のリソース群）のうち上記制御情報から特定されるCSI-RS config(i)（第１の番号）のリソース、及びCSI-RS config(i)から所定数（ここでは３）離れたCSI-RS config(i+3)（第２の番号）のリソースで構成されるリソース（干渉推定用リソース）において特定のＴＰから送信された既知信号を受信し、ＣＳＩ生成部２０６が、ＣＳＩ−ＲＳ、上記信号、及び、既知信号を用いて、ＣＳＩを生成し、送信信号形成部２０８が、生成されたＣＳＩを送信する。
【０１７５】
こうすることで、干渉推定用リソースとして、複数のCSI-RS configが設定されるので、干渉推定において、協調していないＴＰからのＣＳＩ−ＲＳとの衝突による影響を低減することができる。これにより、端末２００は、協調していないＴＰによる干渉量のばらつきを軽減し、各ＴＰに対して精度良く干渉推定を行うことができる。よって、本実施の形態によれば、端末が接続しているＴＰと協調していないＴＰを考慮して、システムスループット低減を防止しつつ、ＣｏＭＰ制御の対象となる各ＴＰと端末２００とのＣＳＩ測定精度を向上させ、ＣｏＭＰ制御を高精度で実現することができる。
【０１７６】
また、本実施の形態では、干渉推定用リソース情報は例えばRRC signaling等の制御を用いて通知されるので、干渉推定に関するシグナリング量の増大を抑えることができる。また、本実施の形態では、干渉推定用リソースとして、各ＴＰに設定されるＣＳＩ−ＲＳのリソースと同量（図１５では２ＲＥ）のリソースが設定される。これにより、レートマッチングのパターン数の増大を抑えることができる。
【０１７７】
また、本実施の形態では、２ポートのＣＳＩ−ＲＳ構成を用いる場合を一例として説明したが、これに限らず、例えば、４ポートまたは８ポートのＣＳＩ−ＲＳ構成を用いてもよい。例えば、８ポートのＣＳＩ−ＲＳ構成では、干渉推定用リソースとして通知されたCSI-RS config(i)に対応するリソースから４ＲＥが抽出され、CSI-RS config(i)から所定の間隔（ここでは３）離れた番号のCSI-RS config(i+3)に対応するリソースから４ＲＥが抽出される。こうすることで、例えば、ＴＰ情報として端末２００に８ポートのＣＳＩ−ＲＳ構成が通知される場合、干渉推定用リソースとして、ポート数を別途通知する必要が無い。
【０１７８】
また、本実施の形態では、干渉推定用リソースとして用いられるCSI-RS configの間隔である所定数を「３」とした。しかし、上記所定数は「３」に限定されない。例えば、上述したように協調されないＴＰのＣＳＩ−ＲＳとの衝突を回避すべく、異なるＯＦＤＭシンボルに干渉推定用リソースを設定すべきであることを考慮して、上記所定数を設定してもよい。例えば、図１５に示すＣＳＩ−ＲＳ構成では、所定数「３」離れたCSI-RS config同士は異なる隣接しないＯＦＤＭシンボルに該当する割合が高い。一方で、例えば、図１５では、所定数「５」離れたCSI-RS config同士は同一ＯＦＤＭシンボルかつ隣接するサブキャリアに該当する。これは、アンテナポート数が８のＣＳＩ−ＲＳ構成（図２Ａ）と開始位置の同じＣＳＩ−ＲＳ構成を同一の番号付けとすることを意図しているため、アンテナポート数が８のＣＳＩ−ＲＳとして取り得る構成数の「５つ」に起因する。よって、本実施の形態と同様、協調していないＴＰのＣＳＩ−ＲＳ設定が不明の場合には、上記所定数として「３」を用いた方が、上記所定数として「５」を用いるよりも、協調していないＴＰのＣＳＩ−ＲＳとの衝突を回避できる確率が高くなる。
【０１７９】
なお、ここでは特定のＴＰ（図１４ＡではＴＰ＃１）のみが干渉推定用リソースで既知信号を送信する構成としたが、これに限らず、同一リソースを用いて協調している複数のＴＰから同一の既知信号を送信する構成としても良い（図１４Ｂ）。
【０１８０】
［実施の形態７］
上記実施の形態１〜６では、設定した送信サブフレームのどのタイミングであっても、また送信サブフレーム中のどのＲＢであっても、特定のCSI-RS configを用いて、常に既知信号を送信する構成としていた。これに対して、本実施の形態では、上述の手段によりシグナリング量を増やすことなく通知可能な複数のCSI-RS configを用い、周波数方向または時間方向に切り替えて干渉推定を行う場合について説明する。なお、本実施の形態では、干渉推定用リソースの設定を変える以外、実施の形態６と同様である。
【０１８１】
図１６に、周波数方向にCSI-RS configを切り替えて用いる例を示す。ここでは、奇数ＲＢではCSI-RS config(4)の２ＲＥに、偶数ＲＢではCSI-RS config(7)の２ＲＥに、それぞれ配置された既知信号を観測することにより干渉を推定する動作とする。
【０１８２】
これにより、協調していないＴＰのＣＳＩ−ＲＳとの衝突による影響を受ける場合、例えば、該当サブフレームでＴＰ＃４がCSI-RS config(4)にてＣＳＩ−ＲＳ送信している場合であっても、干渉推定用リソースのうち半分はその影響を受けることなく観測できることから、協調していないＴＰによる干渉量のばらつきを軽減し、各ＴＰに対して精度良く干渉推定を行うことができる。
【０１８３】
また、図１７に示すように、奇数ＲＢではCSI-RS config(4)の先頭シンボルの１ＲＥに、CSI-RS config(7)の末尾シンボルの１ＲＥにそれぞれ配置された既知信号を観測し、偶数ＲＢでは逆にCSI-RS config(4)の末尾シンボルの１ＲＥに、CSI-RS config(7)の先頭シンボルの１ＲＥにそれぞれ配置された既知信号を観測することにより干渉を推定する動作としてもよい。これにより、協調していないＴＰのＣＳＩ−ＲＳと衝突する影響を隣接ＲＢ間で異ならせることが可能となる。
【０１８４】
同様に、時間方向にCSI-RS configを切り替えて用いる例を図１８に示す。図１８に示すように、干渉推定用リソースの送信サブフレーム毎にCSI-RS config(4)とCSI-RS config(7)とを切り替えて用いる動作としてもよい。また、図１９に示すように、干渉推定用リソースの送信サブフレーム毎に、CSI-RS config(4)の末尾シンボルの１ＲＥとCSI-RS config(7)の先頭シンボルの１ＲＥを用いたパターンＩと、CSI-RS config(4)の先頭シンボルの１ＲＥとCSI-RS config(7)の末尾シンボルの１ＲＥを用いたパターンＩＩとを切り替えて用いてもよい。これにより、協調していないＴＰのＣＳＩ−ＲＳと衝突する影響を複数の送信サブフレーム間で異ならせることが可能となる。
【０１８５】
［実施の形態８］
上記実施の形態１〜７では、複数のCSI-RS configを用いて干渉推定を実施する場合について説明したが、所望信号を観測するCSI-RS configと干渉推定用リソースのCSI-RS configとが異なる送信サブフレームを示す場合、更なる課題を生じる。
【０１８６】
具体的には、時間方向に、ＴＰ＃ａの所望信号観測用ＣＳＩ−ＲＳ、干渉推定用リソース、ＴＰ＃ｂの所望信号観測用ＣＳＩ−ＲＳの順に送信されるものとする。このとき、干渉推定用リソースとしてCSI-RS config(4)とCSI-RS config(7)の両方を用いることで、ＴＰ＃ａの所望信号観測用ＣＳＩ−ＲＳと干渉推定用リソースのうちCSI-RS config(7)、すなわち、後半スロットの３、４シンボル目を用いて算出されるＣＳＩが、干渉推定用リソースとしてCSI-RS config(4)を観測対象とすることで、後半スロットの最終シンボルまで待たなければＣＳＩを算出できないことになる。同様に、干渉推定用リソースのうちCSI-RS config(4)、すなわち、後半スロットの６、７シンボル目とＴＰ＃ｂの所望信号観測用ＣＳＩ−ＲＳとを用いて算出されるＣＳＩが、干渉推定用リソースとしてCSI-RS config(7)を観測対象とすることで、より時間的に早いタイミングから観測値を保存しておく必要が生じるのに加え、そうした所望信号観測用ＣＳＩ−ＲＳと、干渉推定用リソースとの時間差が増えることにより、伝搬路の時間変動が生じ、ＣＳＩ測定精度が劣化してしまう。
【０１８７】
このため本実施の形態では、図２０に示すように、複数のCSI-RS configを用いて干渉推定を実施する際、ＣＳＩ測定向けに特定された所望信号算出用のＣＳＩ−ＲＳと時間的に近いCSI-RS configのみを用いる構成とする。
【０１８８】
これにより、前述の時間差の影響を排除することができ、ＣＳＩ測定精度を確保できる。より具体的には、例えば、ＴＰ＃aのＣＳＩ−ＲＳ送信サブフレームで基地局からトリガ情報に基づいたＣＳＩ報告を指示された端末は、干渉推定用リソース送信サブフレームの全ＯＦＤＭシンボルの復調を待つことなく、該当ＣＳＩ−ＲＳと時間的に近いCSI-RS config（例えば、#7）のみ観測することで干渉推定が可能となり、対応するＣＳＩを生成する際に該当サブフレームの残りのシンボルに対応する処理時間を確保することができ、結果として該当のトリガ情報に対応したＣＳＩ報告を実現できる可能性を高められる。
【０１８９】
以上、本発明の各実施の形態について説明した。
【０１９０】
［他の実施の形態］
（１）上記各実施の形態において、アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１９１】
例えば3GPP LTEにおいては、アンテナポートが何本の物理アンテナから構成されるかは規定されず、基地局が異なる参照信号（Reference signal）を送信できる最小単位として規定されている。
【０１９２】
また、アンテナポートはプリコーディングベクトル（Precoding vector）の重み付けを乗算する最小単位として規定されることもある。
【０１９３】
（２）上記各実施の形態では、本発明をハードウェアで構成する場合を例にとって説明したが、本発明はハードウェアとの連携においてソフトウェアでも実現することも可能である。
【０１９４】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１９５】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１９６】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１９７】
本開示の端末は、特定の送信ポイントから送信された参照信号と、制御情報とを受信し、参照信号用のリソース群のうち前記制御情報から特定される第１の番号のリソース、及び前記第１の番号から所定数離れた第２の番号のリソースで構成されるリソースにおいて前記特定の送信ポイント以外の送信ポイントから送信された信号、を受信する受信手段と、前記参照信号、及び、前記信号を用いて、チャネル情報を生成する生成手段と、生成された前記チャネル情報を送信する送信手段と、を具備する構成を採る。
【０１９８】
本開示の端末では、前記リソースは、前記第１の番号のリソース内の一部である第１のリソース、及び、前記第２の番号のリソース内の一部である第２のリソースで構成される。
【０１９９】
本開示の端末では、前記リソース群の各リソースは、同一シンボル内の複数のサブキャリアに、連続する２つのシンボル単位で分散したリソース・エレメントで構成され、前記第１のリソース及び前記第２のリソースの各々は、互いに異なるサブキャリアかつ互いに異なるシンボルのリソース・エレメントからそれぞれ構成される。
【０２００】
本開示の端末では、前記リソース群の各リソースは、同一シンボル内の複数のサブキャリアに、連続する２つのシンボル単位で分散したリソース・エレメントで構成され、前記第１のリソース及び前記第２のリソースの各々は、前記２つのシンボルのうちいずれか一方のシンボル内の互いに異なるサブキャリアに分散したリソース・エレメントでそれぞれ構成される。
【０２０１】
本開示の端末では、前記第１のリソース及び前記第２のリソースのうち、一方は前記２つのシンボルのうち先頭シンボルのリソース・エレメントで構成され、他方は前記２つのシンボルのうち後続シンボルのリソース・エレメントで構成される。
【０２０２】
本開示の端末では、前記第１の番号のリソースと前記第２の番号のリソースとは、互いに隣接しない異なるシンボルのリソース・エレメントからなる。
【０２０３】
本開示の端末では、前記リソースを構成するリソース・エレメントの数は、前記参照信号の送信に用いられるリソースを構成するリソース・エレメントの数と同一である。
【０２０４】
本開示の端末では、前記制御情報は、前記第１の番号を示す情報である。
【０２０５】
本開示の端末では、前記制御情報は、前記リソース群のうち、いずれが前記第１の番号のリソースであるかを示すビットマップ型の情報である。
【０２０６】
本開示の端末では、前記制御情報は、前記第１の番号及び前記所定数を示す情報であり、前記所定数が変更された場合には変更後の所定数のみを示す情報である。
【０２０７】
本開示の端末では、前記参照信号の送信周期と前記リソースが設定される周期との最小公倍数は所定値以上である。
【０２０８】
本開示の端末では、前記リソース群の各リソースは、同一シンボル内の単一のサブキャリアに、連続する２つのシンボル単位のリソース・エレメントで構成され、前記第１のリソース及び前記第２のリソースのうち、一方は前記２つのシンボルのうち先頭シンボルのリソース・エレメントで構成され、他方は前記２つのシンボルのうち後続シンボルのリソース・エレメントで構成される。
【０２０９】
本開示の端末では、前記受信手段は、前記特定の送信ポイントから送信された既知信号を受信し、前記生成手段は、前記参照信号、前記信号、及び、前記既知信号を用いて、チャネル情報を生成する。
【０２１０】
本開示の端末では、前記リソース群の各リソースは、同一シンボル内の複数のサブキャリアに、連続する２つのシンボル単位で分散したリソース・エレメントで構成され、前記第１のリソース及び前記第２のリソースの各々は、互いに異なるリソースブロックにおけるリソース・エレメントでそれぞれ構成される。
【０２１１】
本開示の端末では、前記第１のリソースは、前記２つのシンボルのうちいずれか一方のシンボルと、前記一方のシンボルと互いに異なるリソースブロックの他方のシンボルとに分散したリソース・エレメントで構成され、前記第２のリソースは、前記第１のリソースとは異なるシンボルのリソース・エレメントであり、かつ、前記２つのシンボルのうちいずれか一方のシンボルと、前記一方のシンボルと互いに異なるリソースブロックの他方のシンボルとに分散したリソース・エレメントで構成される。
【０２１２】
本開示の端末では、前記リソースは、送信周期だけ離れたサブフレーム間において異なるリソース・エレメントで構成される。
【０２１３】
本開示の端末では、前記生成手段は、前記参照信号と時間的に近い前記制御情報を用いて、前記チャネル情報を生成する。
【０２１４】
本開示の基地局は、参照信号用のリソース群の中から、第１の番号のリソースを設定する設定手段と、前記第１の番号を含む制御情報を、端末に送信する送信手段と、前記端末において、前記制御情報から特定される前記第１の番号のリソース、及び前記第１の番号から所定数離れた第２の番号のリソースで構成されるリソースにおいて特定の送信ポイント以外の送信ポイントから送信された信号と、前記特定の送信ポイントから送信された参照信号とを用いて生成されるチャネル情報を受信する受信手段と、を具備する構成を採る。
【０２１５】
本開示の送信方法は、特定の送信ポイントから送信された参照信号と、制御情報を受信し、参照信号用のリソース群のうち前記制御情報から特定される第１の番号のリソース、及び前記第１の番号から所定数離れた第２の番号のリソースで構成されるリソースにおいて前記特定の送信ポイント以外の送信ポイントから送信された信号、を受信し、前記参照信号、及び、前記信号を用いて、チャネル情報を生成し、生成された前記チャネル情報を送信する。
【０２１６】
本開示の受信方法は、参照信号用のリソース群の中から、第１の番号のリソースを設定し、前記第１の番号を含む制御情報を、端末に送信し、前記端末において、前記制御情報から特定される前記第１の番号のリソース、及び前記第１の番号から所定数離れた第２の番号のリソースで構成されるリソースにおいて特定の送信ポイント以外の送信ポイントから送信された信号と、前記特定の送信ポイントから送信された参照信号とを用いて生成されるチャネル情報を受信する。
【０２１７】
２０１２年１月２５日出願の特願２０１２−０１３００２および２０１２年３月１９日出願の特願２０１２−０６１９７７の日本出願に含まれる明細書、図面および要約書の開示内容は、すべて本願に援用される。
【産業上の利用可能性】
【０２１８】
本発明は、移動通信システム等に有用である。
【符号の説明】
【０２１９】
１００  基地局
１０１  設定部
１０２，１０３  符号化・変調部
１０４  送信処理部
１０５，２０９  送信部
１０６，２０１  アンテナ
１０７，２０２  受信部
１０８，２０３  受信処理部
１０９  データ受信部
１１０  ＣＳＩ受信部
２００  端末
２０４  リファレンス信号生成部
２０５  データ信号生成部
２０６  ＣＳＩ生成部
２０７  送信制御部
２０８  送信信号形成部
【図１】
0006027988.tif 000002
【図２】
0006027988.tif 000003
【図３】
0006027988.tif 000004
【図４】
0006027988.tif 000005
【図５】
0006027988.tif 000006
【図６】
0006027988.tif 000007
【図７】
0006027988.tif 000008
【図８】
0006027988.tif 000009
【図９】
0006027988.tif 000010
【図１０】
0006027988.tif 000011
【図１１】
0006027988.tif 000012
【図１２】
0006027988.tif 000013
【図１３】
0006027988.tif 000014
【図１４】
0006027988.tif 000015
【図１５】
0006027988.tif 000016
【図１６】
0006027988.tif 000017
【図１７】
0006027988.tif 000018
【図１８】
0006027988.tif 000019
【図１９】
0006027988.tif 000020
【図２０】
0006027988.tif 000021